(57)【要約】【課題】一つの広告に対して広告実施店舗が複数ある場合に、ユーザは同じ広告を何度も見ることなくそれらの広告実施店舗を知ることができる。【解決手段】端末装置４の記憶部４３は、広告データと複数の店舗それぞれの店舗情報とを対応付けた配信データを記憶する。配信広告表示制御部４４１は、記憶部４３に記憶された配信データ内の広告データを表示画面４０に表示させる。操作受付部４５により広告実施店舗一覧の表示指示が入力されると、広告実施店舗一覧表示制御部４４２は、表示画面４０に表示されている広告データに対応して記憶部４３に記憶されている複数の店舗それぞれの店舗情報から店舗名を取得し、表示画面４０に一覧表示させる。【選択図】図５
2014130482.tif 000002
【特許請求の範囲】
【請求項１】
表示部と、
広告データと広告実施店舗である複数の店舗それぞれの店舗情報とを対応付けた配信データを受信する受信部と、
前記受信部によって受信された前記配信データを記憶する記憶部と、
前記記憶部に記憶された前記配信データに含まれる前記広告データを前記表示部に表示させる配信広告表示制御部と、
前記配信広告表示制御部が前記表示部に表示させた前記広告データに対応付けて前記記憶部に記憶されている前記複数の店舗それぞれの前記店舗情報から店舗名を取得し、取得した前記店舗名を前記表示部に一覧表示させる広告実施店舗一覧表示制御部と、
を備えることを特徴とする端末装置。
【請求項２】
ユーザによる操作を受け付ける操作受付部をさらに備え、
前記配信広告表示制御部は、前記配信データに含まれる複数の前記広告データそれぞれを前記表示部に表示させ、
前記操作受付部は、前記配信広告表示制御部が前記表示部に表示させている複数の前記広告データの何れかに対する選択操作を受け、
前記広告実施店舗一覧表示制御部は、前記操作受付部が受けた前記選択操作により選択された前記広告データに対応付けて前記記憶部に記憶されている前記複数の店舗それぞれの前記店舗情報から店舗名を取得し、取得した前記店舗名を前記表示部に一覧表示させる、
ことを特徴とする請求項１に記載の端末装置。
【請求項３】
前記配信広告表示制御部は、前記操作受付部が受けた前記選択操作により選択された前記広告データに店舗情報が複数対応していると判断した場合、広告実施店舗が複数ある旨をさらに前記表示部に表示させ、
前記操作受付部は、広告実施店舗一覧の表示指示操作を受け、
前記広告実施店舗一覧表示制御部は、前記操作受付部が前記広告実施店舗一覧の表示指示操作を受けた場合に、前記操作受付部が受けた前記選択操作により選択された前記広告データに対応付けて前記記憶部に記憶されている前記複数の店舗それぞれの前記店舗情報から店舗名を取得し、取得した前記店舗名を前記表示部に一覧表示させる、
ことを特徴とする請求項２に記載の端末装置。
【請求項４】
前記店舗情報には、店舗の位置とユーザの位置とに基づいて決定された表示優先度の情報が付加されており、
前記広告実施店舗一覧表示制御部は、前記広告データに対応付けて前記記憶部に記憶されている前記複数の店舗それぞれの前記店舗情報から前記店舗名及び前記表示優先度を取得し、取得した前記店舗名を前記表示優先度の順に前記表示部に一覧表示させる、
ことを特徴とする請求項１から請求項３のいずれか１項に記載の端末装置。
【請求項５】
ユーザによる操作を受け付ける操作受付部をさらに備え、
前記操作受付部は、前記広告実施店舗一覧表示制御部が前記表示部に一覧表示させた前記店舗名の何れかに対する利用店舗選択操作を受け、
前記配信広告表示制御部は、前記操作受付部が前記利用店舗選択操作を受ける前は、前記広告データと、当該広告データに対応した前記複数の店舗それぞれの前記店舗情報のうち最も高い前記表示優先度の前記店舗情報から取得した前記店舗名とを前記表示部に表示させ、前記操作受付部が前記利用店舗選択操作を受けた後は、前記広告データと、前記操作受付部が受けた前記利用店舗選択操作により選択された前記店舗名とを前記表示部に表示させる、
ことを特徴とする請求項４に記載の端末装置。
【請求項６】
前記店舗情報は、店舗に関してユーザに提供する情報をさらに含み、
前記操作受付部が受けた前記利用店舗選択操作により選択された前記店舗名に対応する前記店舗情報を前記表示部に表示させる店舗情報表示制御部をさらに備える、
ことを特徴とする請求項５に記載の端末装置。
【請求項７】
前記操作受付部は、前記配信広告表示制御部が表示させている前記広告データに対する分類操作を受け、
前記操作受付部が受けた前記分類操作により分類された前記広告データを１つずつ前記表示部に表示させる分類結果表示制御部をさらに備え、
前記店舗情報表示制御部は、前記分類結果表示制御部が表示させた前記広告データについて前記利用店舗選択操作により選択された前記店舗名に対応する前記店舗情報を前記表示部に表示させる、
ことを特徴とする請求項６に記載の端末装置。
【請求項８】
広告データ、店舗名を含む店舗情報、検索情報、及び店舗位置情報を対応付けて店舗毎に記憶する記憶部と、
ユーザの端末装置から受信した検索条件に合致する前記検索情報を検索し、検索により得られた前記検索情報に対応する店舗を広告配信店舗として特定する検索部と、
前記検索部により特定された前記広告配信店舗に対応する前記広告データに重複があるかを検出し、重複を検出した前記広告データに対応する前記広告配信店舗それぞれの表示優先度を、当該広告配信店舗の前記店舗位置情報と前記ユーザの端末装置から受信したユーザ位置情報とに基づいて決定する重複検出部と、
前記広告配信店舗に対応する前記広告データから前記重複検出部により検出された重複をなくし、重複をなくした前記広告データと、当該広告データに対応した前記広告配信店舗の前記店舗情報と、前記重複検出部が決定した前記広告配信店舗の前記表示優先度とを含んだ配信データを前記ユーザの端末装置に配信する配信部と、
を備えることを特徴とする広告配信装置。
【請求項９】
表示部を備えた端末装置が実行する広告表示方法であって、
受信部が、広告データと広告実施店舗である複数の店舗それぞれの店舗情報とを対応付けた配信データを受信する受信ステップと、
記憶部が、前記受信ステップによって受信された前記配信データを記憶する記憶ステップと、
配信広告表示制御部が、前記記憶部に記憶された前記配信データに含まれる前記広告データを前記表示部に表示させる配信広告表示ステップと、
広告実施店舗一覧表示制御部が、前記配信広告表示ステップにおいて前記表示部に表示させた前記広告データに対応付けて前記記憶部に記憶されている前記複数の店舗それぞれの前記店舗情報から店舗名を取得し、取得した前記店舗名を前記表示部に一覧表示させる広告実施店舗一覧表示ステップと、
を有することを特徴とする広告表示方法。
【請求項１０】
広告データ、店舗情報、検索情報、及び店舗位置情報を対応付けて店舗毎に記憶する記憶部を備える広告配信装置が実行する広告配信方法であって、
検索部が、ユーザの端末装置から受信した検索条件に合致する前記検索情報を検索し、検索により得られた前記検索情報に対応する店舗を広告配信店舗として特定する検索ステップと、
重複検出部が、前記検索ステップにより特定された前記広告配信店舗に対応する前記広告データに重複があるかを検出し、重複を検出した前記広告データに対応する前記広告配信店舗それぞれの表示優先度を、当該広告配信店舗の前記店舗位置情報と前記ユーザの端末装置から受信したユーザ位置情報とに基づいて決定する重複検出ステップと、
配信部が、前記広告配信店舗に対応する前記広告データから前記重複検出ステップにより検出された重複をなくし、重複をなくした前記広告データと、当該広告データに対応した前記広告配信店舗の前記店舗情報と、前記重複検出ステップにおいて決定した前記広告配信店舗の前記表示優先度とを含んだ配信データを前記ユーザの端末装置に配信する配信ステップと、
を有することを特徴とする広告配信方法。
【請求項１１】
コンピュータを、
広告データと広告実施店舗である複数の店舗それぞれの店舗情報とを対応付けた配信データを受信する受信部、
前記受信部によって受信された前記配信データを記憶する記憶部、
前記記憶部に記憶された前記配信データに含まれる前記広告データを表示部に表示させる配信広告表示制御部、
前記配信広告表示制御部が前記表示部に表示させた前記広告データに対応付けて前記記憶部に記憶されている前記複数の店舗それぞれの前記店舗情報から店舗名を取得し、取得した前記店舗名を前記表示部に一覧表示させる広告実施店舗一覧表示制御部、
として機能させるプログラム。
【発明の詳細な説明】
【技術分野】
【０００１】
本発明は、端末装置、広告配信装置、広告表示方法、広告配信方法、及びプログラムに関する。
【背景技術】
【０００２】
現在、スーパーマーケット、家電製品の量販店等の店舗では、広告の媒体として、新聞等と一緒に配達される折り込みチラシを利用している。また、印刷物である折り込みチラシの他に、広告情報を電子化し、電子チラシとしてネットワークを介して配信するサービスも利用されている。例えば、広告とコンテンツとを含むウェブページを生成して端末装置に送信するシステムが開示されている（例えば、特許文献１参照）。
【先行技術文献】
【特許文献】
【０００３】
【特許文献１】特開２００８−０４６９８７号公報
【発明の概要】
【発明が解決しようとする課題】
【０００４】
従来の広告配信システムでは、店舗毎に電子チラシを配信している。そのため、大型スーパーなどで複数の店舗が同じチラシを使用する場合、ユーザの端末装置に同じ電子チラシが複数配信される。しかし、同じチラシを何度も見るのは煩わしいという問題がある。また、行動予定によってユーザが利用しやすい店舗は異なるため、気になるチラシを見つけたときには、利用しやすい他の広告実施店舗があるかを知りたいとの要望がある。特許文献１では、店舗毎にウェブページが作成されており、ユーザが気になる広告を見つけたときに、その広告の他の実施店舗を調べるには適していない。
【０００５】
本発明は、このような事情を考慮してなされたもので、一つの広告に対して広告実施店舗が複数ある場合に、ユーザが同じ広告を何度も見ることなくそれらの広告実施店舗を知ることができる端末装置、広告配信装置、広告表示方法、広告配信方法、及びプログラムを提供する。
【課題を解決するための手段】
【０００６】
上記目的を達成するために、請求項１に記載の発明は、表示部と、広告データと広告実施店舗である複数の店舗それぞれの店舗情報とを対応付けた配信データを受信する受信部と、前記受信部によって受信された前記配信データを記憶する記憶部と、前記記憶部に記憶された前記配信データに含まれる前記広告データを前記表示部に表示させる配信広告表示制御部と、前記配信広告表示制御部が前記表示部に表示させた前記広告データに対応付けて前記記憶部に記憶されている前記複数の店舗それぞれの前記店舗情報から店舗名を取得し、取得した前記店舗名を前記表示部に一覧表示させる広告実施店舗一覧表示制御部と、を備えることを特徴とする端末装置である。
【０００７】
また、請求項２に記載の発明は、請求項１に記載の端末装置であって、ユーザによる操作を受け付ける操作受付部をさらに備え、前記配信広告表示制御部は、前記配信データに含まれる複数の前記広告データそれぞれを前記表示部に表示させ、前記操作受付部は、前記配信広告表示制御部が前記表示部に表示させている複数の前記広告データの何れかに対する選択操作を受け、前記広告実施店舗一覧表示制御部は、前記操作受付部が受けた前記選択操作により選択された前記広告データに対応付けて前記記憶部に記憶されている前記複数の店舗それぞれの前記店舗情報から店舗名を取得し、取得した前記店舗名を前記表示部に一覧表示させる、ことを特徴とする。
【０００８】
また、請求項３に記載の発明は、請求項２に記載の端末装置であって、前記配信広告表示制御部は、前記操作受付部が受けた前記選択操作により選択された前記広告データに店舗情報が複数対応していると判断した場合、広告実施店舗が複数ある旨をさらに前記表示部に表示させ、前記操作受付部は、広告実施店舗一覧の表示指示操作を受け、前記広告実施店舗一覧表示制御部は、前記操作受付部が前記広告実施店舗一覧の表示指示操作を受けた場合に、前記操作受付部が受けた前記選択操作により選択された前記広告データに対応付けて前記記憶部に記憶されている前記複数の店舗それぞれの前記店舗情報から店舗名を取得し、取得した前記店舗名を前記表示部に一覧表示させる、ことを特徴とする。
【０００９】
また、請求項４に記載の発明は、請求項１から請求項３のいずれか１項に記載の端末装置であって、前記店舗情報には、店舗の位置とユーザの位置とに基づいて決定された表示優先度の情報が付加されており、前記広告実施店舗一覧表示制御部は、前記広告データに対応付けて前記記憶部に記憶されている前記複数の店舗それぞれの前記店舗情報から前記店舗名及び前記表示優先度を取得し、取得した前記店舗名を前記表示優先度の順に前記表示部に一覧表示させる、ことを特徴とする。
【００１０】
また、請求項５に記載の発明は、請求項４に記載の端末装置であって、ユーザによる操作を受け付ける操作受付部をさらに備え、前記操作受付部は、前記広告実施店舗一覧表示制御部が前記表示部に一覧表示させた前記店舗名の何れかに対する利用店舗選択操作を受け、前記配信広告表示制御部は、前記操作受付部が前記利用店舗選択操作を受ける前は、前記広告データと、当該広告データに対応した前記複数の店舗それぞれの前記店舗情報のうち最も高い前記表示優先度の前記店舗情報から取得した前記店舗名とを前記表示部に表示させ、前記操作受付部が前記利用店舗選択操作を受けた後は、前記広告データと、前記操作受付部が受けた前記利用店舗選択操作により選択された前記店舗名とを前記表示部に表示させる、ことを特徴とする。
【００１１】
また、請求項６に記載の発明は、請求項５に記載の端末装置であって、前記店舗情報は、店舗に関してユーザに提供する情報をさらに含み、前記操作受付部が受けた前記利用店舗選択操作により選択された前記店舗名に対応する前記店舗情報を前記表示部に表示させる店舗情報表示制御部をさらに備える、ことを特徴とする。
【００１２】
また、請求項７に記載の発明は、請求項６に記載の端末装置であって、前記操作受付部は、前記配信広告表示制御部が表示させている前記広告データに対する分類操作を受け、前記操作受付部が受けた前記分類操作により分類された前記広告データを１つずつ前記表示部に表示させる分類結果表示制御部をさらに備え、前記店舗情報表示制御部は、前記分類結果表示制御部が表示させた前記広告データについて前記利用店舗選択操作により選択された前記店舗名に対応する前記店舗情報を前記表示部に表示させる、ことを特徴とする。
【００１３】
また、上記目的を達成するために、請求項８に記載の発明は、広告データ、店舗名を含む店舗情報、検索情報、及び店舗位置情報を対応付けて店舗毎に記憶する記憶部と、ユーザの端末装置から受信した検索条件に合致する前記検索情報を検索し、検索により得られた前記検索情報に対応する店舗を広告配信店舗として特定する検索部と、前記検索部により特定された前記広告配信店舗に対応する前記広告データに重複があるかを検出し、重複を検出した前記広告データに対応する前記広告配信店舗それぞれの表示優先度を、当該広告配信店舗の前記店舗位置情報と前記ユーザの端末装置から受信したユーザ位置情報とに基づいて決定する重複検出部と、前記広告配信店舗に対応する前記広告データから前記重複検出部により検出された重複をなくし、重複をなくした前記広告データと、当該広告データに対応した前記広告配信店舗の前記店舗情報と、前記重複検出部が決定した前記広告配信店舗の前記表示優先度とを含んだ配信データを前記ユーザの端末装置に配信する配信部と、を備えることを特徴とする広告配信装置である。
【００１４】
また、上記目的を達成するために、請求項９に記載の発明は、表示部を備えた端末装置が実行する広告表示方法であって、受信部が、広告データと広告実施店舗である複数の店舗それぞれの店舗情報とを対応付けた配信データを受信する受信ステップと、記憶部が、前記受信ステップによって受信された前記配信データを記憶する記憶ステップと、配信広告表示制御部が、前記記憶部に記憶された前記配信データに含まれる前記広告データを前記表示部に表示させる配信広告表示ステップと、広告実施店舗一覧表示制御部が、前記配信広告表示ステップにおいて前記表示部に表示させた前記広告データに対応付けて前記記憶部に記憶されている前記複数の店舗それぞれの前記店舗情報から店舗名を取得し、取得した前記店舗名を前記表示部に一覧表示させる広告実施店舗一覧表示ステップと、を有することを特徴とする広告表示方法である。
【００１５】
また、上記目的を達成するために、請求項１０に記載の発明は、広告データ、店舗情報、検索情報、及び店舗位置情報を対応付けて店舗毎に記憶する記憶部を備える広告配信装置が実行する広告配信方法であって、検索部が、ユーザの端末装置から受信した検索条件に合致する前記検索情報を検索し、検索により得られた前記検索情報に対応する店舗を広告配信店舗として特定する検索ステップと、重複検出部が、前記検索ステップにより特定された前記広告配信店舗に対応する前記広告データに重複があるかを検出し、重複を検出した前記広告データに対応する前記広告配信店舗それぞれの表示優先度を、当該広告配信店舗の前記店舗位置情報と前記ユーザの端末装置から受信したユーザ位置情報とに基づいて決定する重複検出ステップと、配信部が、前記広告配信店舗に対応する前記広告データから前記重複検出ステップにより検出された重複をなくし、重複をなくした前記広告データと、当該広告データに対応した前記広告配信店舗の前記店舗情報と、前記重複検出ステップにおいて決定した前記広告配信店舗の前記表示優先度とを含んだ配信データを前記ユーザの端末装置に配信する配信ステップと、を有することを特徴とする広告配信方法である。
【００１６】
また、上記目的を達成するために、請求項１１に記載の発明は、コンピュータを、広告データと広告実施店舗である複数の店舗それぞれの店舗情報とを対応付けた配信データを受信する受信部、前記受信部によって受信された前記配信データを記憶する記憶部、前記記憶部に記憶された前記配信データに含まれる前記広告データを表示部に表示させる配信広告表示制御部、前記配信広告表示制御部が前記表示部に表示させた前記広告データに対応付けて前記記憶部に記憶されている前記複数の店舗それぞれの前記店舗情報から店舗名を取得し、取得した前記店舗名を前記表示部に一覧表示させる広告実施店舗一覧表示制御部、として機能させるプログラムである。
【発明の効果】
【００１７】
請求項１、９、及び１１の発明によれば、ユーザは、一つの広告に対して広告実施店舗が複数ある場合に、同じ広告を何度も見ることなくそれらの広告実施店舗を知ることができる。
請求項２の発明によれば、ユーザは、一度に画面表示された複数の広告の中から選択した広告に対して広告実施店舗が複数ある場合に、それらの広告実施店舗を知ることができる。
請求項３の発明によれば、ユーザは、一度に画面表示された複数の広告の中から選択した広告に対して広告実施店舗が複数あるかを把握し、その広告に興味を持った場合に、それらの広告実施店舗を確認することができる。
請求項４、８、及び１０の発明によれば、ユーザは、ユーザ位置からの距離が近い順に広告実施店舗の一覧を見ることができる。
請求項５の発明によれば、ユーザは、広告データと同時に、最もユーザ位置からの距離が近い広告実施店舗を知ることができ、その広告実施店舗を利用しない場合は、利用予定の他の広告実施店舗を選択することができる。
請求項６の発明によれば、ユーザは、利用予定の広告実施店舗について詳細な情報を得ることができる。
請求項７の発明によれば、ユーザは、閲覧が必要として分類した広告データの広告実施店舗のうち、利用予定の広告実施店舗について詳細な情報を得ることができる。
【図面の簡単な説明】
【００１８】
【図１】本発明の一実施形態である広告配信システムの構成図である。
【図２】広告配信装置１の機能ブロック図の一例である。
【図３】記憶部１１に記憶される情報の一例である。
【図４】広告配信装置１が配信する配信データの一例である。
【図５】端末装置４の機能ブロック図の一例である。
【図６】記憶部４３に記憶される情報の一例である。
【図７】端末装置４の外観を示す模式図である。
【図８】表示画面４０における表示例である。
【図９】広告配信装置１の動作の一例を示すフローチャートである。
【図１０】端末装置４の動作の一例を示すフローチャートである。
【図１１】図１０の続きのフローチャートである。
【図１２】表示画面４０における表示例である。
【図１３】表示画面４０における表示例である。
【図１４】表示画面４０における表示例である。
【図１５】表示画面４０における表示例である。
【図１６】表示画面４０における表示例である。
【図１７】表示画面４０における表示例である。
【図１８】表示画面４０における表示例である。
【図１９】表示画面４０における表示例である。
【図２０】表示画面４０における表示例である。
【図２１】表示画面４０における表示例である。
【図２２】表示画面４０における表示例である。
【図２３】表示画面４０における表示例である。
【図２４】表示画面４０における他の表示例である。
【図２５】表示画面４０における他の表示例である。
【図２６】表示画面４０における他の表示例である。
【図２７】表示画面４０における他の表示例である。
【発明を実施するための形態】
【００１９】
以下、本発明の一実施形態について図面を参照して詳細に説明する。
【００２０】
図１は、本実施形態による広告配信システムの構成図である。同図に示すように、広告配信システムは、広告配信会社の広告配信装置１とユーザの端末装置４とをネットワーク９により接続して構成される。ネットワーク９は、例えば、インターネット網である。同図においては、端末装置４を１台のみ示しているが、複数台が接続され得る。
【００２１】
図２は、広告配信装置１の機能ブロック図の一例である。端末装置４は、１台または複数台のコンピュータサーバにより実現され、同図に示すように、記憶部１１、送受信部１２、要求受信部１３、検索部１４、重複検出部１５、及び配信部１６を備えて構成される。
【００２２】
記憶部１１は、種々の情報を記憶する。例えば、記憶部１１は、広告主の各店舗を管理する店舗管理情報と、広告データを記憶する。ここでは、広告データは、電子チラシの画像データであるチラシ画像とする。ここで「電子チラシ」とは広告実施店舗が取扱っている商品または提供している役務に関する画像情報、文字情報、および音声情報等を含む電子化された広告宣伝情報を意味するものである。また広告実施店舗毎に開催されるフェアや、キャンペーン情報等、特定の商品や役務に限られない販売促進情報が含まれていてもよい。店舗管理情報には、各店舗の店舗名情報、店舗詳細情報、店舗位置情報、検索情報、電子チラシを特定する情報などが含まれる。店舗名情報は、店舗の名称を示す。店舗詳細情報は、店舗に関してユーザに提供する情報であり、例えば、住所などが含まれる。店舗位置情報は、店舗の所在地を示す。検索情報は、ユーザに配信する電子チラシを検索する際に用いられる情報である。
【００２３】
送受信部１２は、ネットワーク９を介して端末装置４とデータを送受信する。
要求受信部１３は、端末装置４からユーザ位置情報及び検索条件が設定された配信要求を受信する。ユーザ位置情報は、例えば、ユーザの現在位置を表す情報でもよく、ユーザの自宅などの所在地を表す情報でもよい。また、ユーザ位置情報は、例えば、地図上の位置（座標）で示してもよく、緯度・経度などで示してもよい。
検索部１４は、店舗管理情報の検索情報を参照し、端末装置４から受信した検索条件に合致する店舗を広告配信店舗として特定する。
【００２４】
重複検出部１５は、検索部１４が特定した広告配信店舗のチラシ画像が重複している場合、ユーザ位置と広告配信店舗の所在地との距離に応じて、同じチラシ画像の広告配信店舗の表示優先度を決定する。そこで、重複検出部１５は、チラシ画像が重複している広告配信店舗の店舗位置情報を店舗管理情報から読み出す。重複検出部１５は、店舗位置情報とユーザ位置情報とに基づいて各広告配信店舗の所在地とユーザ位置との距離を算出し、算出した距離が近い順に広告配信店舗の表示優先度を決定する。
【００２５】
配信部１６は、広告配信店舗のチラシ画像及び店舗情報を含んだ配信データを生成し、生成した配信データを送受信部１２に出力して端末装置４への配信を指示する。なお、配信部１６は、重複検出部１５により重複が検出されたチラシ画像については重複をなくし、重複をなくした各チラシ画像に、当該チラシ画像に対応する１以上の広告配信店舗の店舗名及び店舗詳細情報を含んだ店舗情報を対応付けて配信データに設定する。さらに、配信部１６は、重複検出部１５が決定した広告配信店舗の表示優先度を配信データに設定する。
【００２６】
なお、広告配信装置１は、要求受信部１３が端末装置４から配信要求を受信したときに配信データを生成して配信するプル型の配信を行ってもよく、要求受信部１３が端末装置４から配信要求を受信した後、所定の時間ごとに配信データを生成して配信するプッシュ型の配信を行ってもよい。
【００２７】
また、チラシ画像には有効期限が設定されていてもよい。この有効期限は、電子チラシを閲覧できる期限を示す情報であり、広告配信装置１の配信部１６は、広告配信店舗のチラシ画像のうち、有効期限に現在日時が含まれるもののみを配信データに含める。
【００２８】
図３は、記憶部１１に記憶される店舗管理情報の一例である。
店舗管理情報は、広告主ＩＤ、広告主、店舗ＩＤ、店舗名、店舗詳細情報、店舗位置情報、検索情報、チラシ画像ＩＤ等を対応付けた情報を含む。
広告主ＩＤは、広告主を識別するための任意の情報であり、広告主は、電子チラシの配信の依頼主である。店舗ＩＤは、広告主が広告を行う対象としている店舗を識別するための任意の情報であり、店舗名は、店舗の名称である。１つの広告主に対して、複数の店舗が対応しうる。店舗詳細情報は、店舗の住所、電話番号、ホームページのＵＲＬ（Universal Resource Locator）など、店舗に関してユーザに提供する情報を含む。店舗位置情報は、店舗の所在地を示し、地図上の店舗の位置（座標）でもよく、緯度・経度などでもよい。
【００２９】
検索情報は、ユーザが配信を希望する電子チラシを検索するために参照する情報である。この検索情報の一例としては、例えば、電子チラシの配信先の地域を指定するエリア特定情報、目標物の名称、店舗や商品を分類するカテゴリなどである。
エリア特定情報は、例えば、郵便番号または住所（地域名称、例えば都道府県名・市町村名等でもよい）、あるいは、電話番号の一部の桁を用いることができる。その他にも特定名称、コード等一定の地域を指定できるものであれば上記のものに限られない。また、エリア特定情報に店舗位置情報を用いてもよい。この場合、店舗位置情報で示される店舗所在地から任意の距離範囲（例えば、店舗から１０ｋｍ圏内等）のエリアを電子チラシの配信先の地域とする。
目標物の名称は、例えば、駅名、店舗名等である。
カテゴリは、例えば、店舗を分類するカテゴリである場合には、スーパーマーケットや家電品販売店、食品販売店、飲食店等であり、商品を分類するカテゴリであれば、家電品、食品、家具、生活雑貨などである。
同図においては、検索情報として郵便番号を用いる場合が図示されている。
【００３０】
チラシ画像ＩＤは、チラシ画像を識別する情報である。チラシ画像には、例えば、折り込みチラシとして紙媒体に印刷される画像データや、印刷された折り込みチラシをスキャナによって読み取ったデータを用いることができる。複数の店舗に対応して同一のチラシ画像ＩＤが設定されうる。
【００３１】
図４は、配信部１６により生成され、端末装置４に配信される配信データの一例である。配信データは、チラシ画像と、１以上の広告実施店舗情報とを対応付けたデータである。配信データに含まれるチラシ画像には重複がない。広告実施店舗情報は、広告実施店舗の表示優先度及び表示店舗情報を含み、表示店舗情報は、広告実施店舗の店舗名及び店舗詳細情報を含む。
【００３２】
図５は、端末装置４の機能ブロック図の一例である。端末装置４は、例えば、スマートフォンやタブレット端末、パーソナルコンピュータなどのコンピュータ端末であって、図５に示すように、表示画面（表示部）４０、配信要求部４１、送受信部４２、記憶部４３、表示制御部４４、操作受付部４５、選択店舗更新部４６、分類部４７、及び、計時部４８を備えて構成される。図６は、記憶部４３に記憶される情報の一例である。本実施形態では、端末装置４がスマートフォンである場合について説明する。
【００３３】
表示画面４０は、略矩形であって、表示制御部４４の制御に従って、種々の情報を表示する。本実施形態では、表示画面４０は、タッチセンサを配したタッチセンサ画面であって、ユーザによる接触を検知する。
【００３４】
配信要求部４１は、ユーザ位置情報及び検索条件を設定した広告配信要求を送受信部４２に出力し、広告配信装置１へ送信するよう指示する。
送受信部４２は、ネットワーク９を介して、種々の情報を送受信する。例えば、送受信部４２は、配信要求部４１が送信を指示した広告配信要求を広告配信装置１に送信する。また、送受信部４２は、広告配信要求に対応して広告配信装置１から送信されたチラシ画像の配信データを受信する。
操作受付部４５は、表示画面４０に配されているタッチセンサを介してユーザから種々の操作を受け付ける。
【００３５】
記憶部４３は、種々の情報を記憶する。例えば、記憶部４３は、送受信部４２によって受信された配信データを記憶する。より詳細には、配信データと、この配信データに含まれる各チラシ画像が、未分類、分類済の何れであるかの状態を表す情報と、各チラシ画像について利用店舗として選択された店舗（以下、「選択店舗」と記載する。）を示す情報とを記憶する。なお、分類済には、ユーザからの指示に応じて表示する可能性があるチラシ画像であることを示す「閲覧必要」と、今後表示する可能性がないチラシ画像であることを示す「閲覧不要」とがある。
【００３６】
例えば、記憶部４３は、図６（ａ）に示すように、配信データに含まれるチラシ画像及び対応する１以上の広告実施店舗情報を記憶し、各チラシ画像に、「未分類」「分類済（閲覧必要）」「分類済（閲覧不要）」の何れかの状態を表す情報と、選択店舗を示す選択店舗情報とを対応付けて記憶する。同図においては、広告実施店舗情報に設定されている表示優先度により各チラシ画像の選択店舗が示されている。デフォルト（初期値）の選択店舗は、最も高い表示優先度の店舗である。
また、例えば、記憶部４３は、図６（ｂ）に示すように、配信データに含まれる各チラシ画像と対応する広告実施店舗情報及び選択店舗情報とを、「未分類」「分類済（閲覧必要）」「分類済（閲覧不要）」の何れかの状態毎にグループに分けて記憶してもよい。
【００３７】
未分類のチラシ画像とは、送受信部４２によって受信され、分類部４７によって未だ分類されていないチラシ画像である。閲覧必要のチラシ画像とは、操作受付部４５から入力されるユーザの指示に従い、分類部４７によってユーザにとって有用なもの、即ち、広告内容に興味があって閲覧に値するものに分類されたチラシ画像である。閲覧不要のチラシ画像とは、分類部４７によってユーザにとって無用なもの、即ち、広告内容に興味がなく閲覧に値しないものに分類されたチラシ画像である。なお、分類部４７による分類については後述する。
【００３８】
なお、チラシ画像に有効期限が設定されていた場合、有効期限を過ぎたときに、記憶部４３から消去（削除）してもよい。なお、チラシ画像の消去に関しては後述する。
【００３９】
表示制御部４４は、表示画面４０の表示を制御し、配信広告表示制御部４４１、広告実施店舗一覧表示制御部４４２、分類結果表示制御部４４３、及び店舗情報表示制御部４４４を備えて構成される。
【００４０】
配信広告表示制御部４４１は、記憶部４３に記憶されたチラシ画像と、そのチラシ画像に対応した店舗名との表示画面４０への表示を制御する。即ち、配信広告表示制御部４４１は、夫々の表示位置（夫々の表示位置とは、所定の、若しくは、ランダムに定める初期位置、又は、初期位置から移動した移動後の位置である）に、夫々のチラシ画像を表示画面４０に表示させる。換言すれば、配信広告表示制御部４４１は、各チラシ画像に対応付けて表示画面４０上の現在の表示位置（初期位置又は移動後の位置）を記憶している。
操作受付部４５が、配信広告表示制御部４４１により表示画面４０に複数表示させているチラシ画像の中から一のチラシ画像の選択操作を受けた場合、配信広告表示制御部４４１は、選択操作により選択されたチラシ画像（以下、「選択チラシ画像」と記載する。）に対応した選択店舗の店舗名を記憶部４３から読み出して表示画面４０に表示させる。このとき、配信広告表示制御部４４１は、選択チラシ画像に複数の広告実施店舗情報が対応する場合、同じチラシ画像に他の広告実施店舗がある旨も表示画面４０に表示させる。
さらに、配信広告表示制御部４４１は、操作受付部４５が選択チラシ画像の表示位置を移動させる移動操作を受け付けた場合、移動操作に応じて表示画面４０上のチラシ画像の表示位置を移動させる。
【００４１】
広告実施店舗一覧表示制御部４４２は、操作受付部４５が、選択チラシ画像の広告実施店舗一覧の表示指示操作を受けた場合、選択チラシ画像に対応して記憶部４３に記憶されている複数の広告実施店舗情報それぞれから店舗名と表示優先度を読み出す。広告実施店舗一覧表示制御部４４２は、読み出した店舗名を表示優先度の順に表示画面４０に一覧表示させる。
分類結果表示制御部４４３は、チラシ画像の分類結果を表示する。分類結果表示制御部４４３は、表示画面４０に、分類されたチラシ画像を１つずつ表示させるとともに、当該チラシ画像に対応した選択店舗の店舗名を記憶部４３から読み出して表示させる。
店舗情報表示制御部４４４は、操作受付部４５が、分類結果表示制御部４４３により表示画面４０に表示させているチラシ画像に対する店舗情報表示指示操作を受けた場合、記憶部４３から当該チラシ画像の選択店舗の表示店舗情報を読み出して表示画面４０に表示させる。
【００４２】
選択店舗更新部４６は、広告実施店舗一覧表示制御部４４２により表示画面４０に一覧表示させている店舗名の中から操作受付部４５が選択操作を受けた場合、選択チラシ画像に対応して記憶部４３に記憶されている選択店舗情報を、選択操作により選択された店舗名の店舗を示す表示優先度に書き換える。
【００４３】
分類部４７は、操作受付部４５によって受け付けた選択チラシ画像の表示位置の移動先に応じて、チラシ画像を閲覧必要と閲覧不要とに分類する。分類部４７による分類結果は、記憶部４３に反映される。例えば、記憶部４３が、図６（ａ）に示すように、各チラシ画像を「未分類」「閲覧必要」「閲覧不要」の何れかの状態と対応付けて記憶する態様の場合、分類部４７は、ある「未分類」のチラシ画像について、「閲覧必要」に分類したときは、記憶部４３に記憶されている当該チラシ画像の状態を表す情報を「未分類」から「閲覧必要」に更新し、「閲覧不要」に分類したときは記憶部４３に記憶されている当該チラシ画像の状態を表す情報を「未分類」から「閲覧不要」に更新する。
【００４４】
また、記憶部４３が、図６（ｂ）に示すように、各チラシ画像を「未分類」「閲覧必要」「閲覧不要」の何れかの状態毎にグループに分けて記憶する態様の場合、分類部４７は、ある「未分類」のチラシ画像について、「閲覧必要」に分類したときは当該チラシ画像を記憶部４３の「未分類」のグループから「閲覧必要」のグループに分類し、「閲覧不要」に分類したときは当該チラシ画像を記憶部４３の「未分類」のグループから「閲覧不要」のグループに分類する。
【００４５】
計時部４８は、内部のクロックに基づいて計時する。この計時結果に基づいて、有効期限が設定されているチラシ画像は、有効期限を過ぎたときに記憶部４３から消去される。
なお、チラシ画像の消去は、記憶部４３自身が、計時部４８の計時結果に従って、行ってもよいし、計時部４８が行ってもよい。
【００４６】
図７は、端末装置４の外観を示す模式図である。同図を用いて、チラシの分類操作について説明する。同図では、表示画面４０に選択チラシ画像のみを示しており、他のチラシ画像については省略している。
ユーザが、配信広告表示制御部４４１により表示画面４０に表示させているチラシ画像の中から一のチラシ画像の表示領域に指で触れた場合、操作受付部４５は、そのチラシ画像を選択した操作として受け付ける。操作受付部４５がこの操作により選択された選択チラシ画像を特定する情報を表示制御部４４に出力すると、配信広告表示制御部４４１は、その情報で示される選択チラシ画像に対応した選択店舗の店舗名を表示画面４０に表示させる。さらに、配信広告表示制御部４４１は、選択チラシ画像に複数の広告実施店舗が対応している場合、他の広告実施店舗を表示させるための他店舗表示ボタンＪ１を表示画面４０に表示させる。
【００４７】
操作受付部４５は、選択チラシ画像の表示位置を移動させる移動操作を受け付ける。具体的には、ユーザが、表示画面４０上において一のチラシ画像の表示領域に指で触れて選択し、触れたままの状態で指が触れている位置を移動させた場合、操作受付部４５は、タッチセンサを介して、選択チラシ画像に触れたまま指を移動させている旨を認識し、当該選択チラシ画像の表示位置を指の動きに連れて移動させる移動操作として受け付ける。
【００４８】
操作受付部４５は、選択チラシ画像の表示位置を移動させる移動操作を受け付けた場合、移動操作の対象となっている選択チラシ画像を特定する情報と、移動操作の内容を表す情報である移動操作内容を配信広告表示制御部４４１及び分類部４７に出力する。ここで、移動操作内容とは、表示画面４０上の移動速度、即ち、移動方向、移動量等である。
【００４９】
配信広告表示制御部４４１は、移動操作に応じて選択チラシ画像の表示位置を移動させ、当該選択チラシ画像の少なくとも一部を第１領域上に表示させるように制御したとき、即ち、表示画面４０の第１領域上に当該選択チラシ画像の少なくとも一部が表示されたときに、分類部４７は、当該選択チラシ画像の移動先は第１領域であると判断し、当該選択チラシ画像を第１の画像（閲覧必要）に分類する。
【００５０】
また、分類部４７は、選択チラシ画像の移動先が表示画面４０の第１領域と異なる所定の第２領域（後述）である場合、当該選択チラシ画像を第２の画像（閲覧不要）に分類する。より詳細には、配信広告表示制御部４４１が、移動操作に応じて選択チラシ画像の表示位置を移動させ、当該チラシ画像の少なくとも一部を第２領域上に表示させるように制御したとき、分類部４７は、当該選択チラシ画像の移動先は第２領域であると判断し、当該選択チラシ画像を第２の画像（閲覧不要）に分類する。
【００５１】
なお、分類部４７は、移動操作に応じて選択チラシ画像の表示位置を移動させる配信広告表示制御部４４１が当該選択チラシ画像の少なくとも一部を第１領域上に表示させるように制御したときではなく、タッチセンサを介して指の動きを認識する操作受付部４５が、選択チラシ画像に触れたまま移動している指の画面上の位置が第１領域上であることを認識したときに、当該選択チラシ画像の移動先は第１領域であると判断し、当該選択チラシ画像を第１の画像（閲覧必要）に分類するようにしてもよい。
選択チラシ画像を第２の画像（閲覧不要）に分類する場合も同様に、分類部４７は、操作受付部４５が、選択チラシ画像に触れたまま移動している指の画面上の位置が第２領域上であることを認識したときに、当該選択チラシ画像の移動先は第２領域であると判断し、当該選択チラシ画像を第２の画像（閲覧不要）に分類するようにしてもよい。
【００５２】
上述の第１領域は、例えば、選択チラシ画像の表示画面４０上の移動範囲を規定する所定の一辺に沿った端部の領域である。また、上述の第２領域は、例えば、選択チラシ画像の表示画面４０上の移動範囲を規定する所定の一辺以外の他の辺に沿った端部の領域である。
【００５３】
例えば、図７において、表示画面４０上のチラシ画像Ｐの移動範囲（領域４０ａ、領域４０ｂ及び領域４０ｃを含む範囲。太枠部分）を規定する所定の一辺Ｒに沿った端部の領域４０ａが、第１領域である。また、図７において、移動範囲（４０ａ、４０ｂ及び４０ｃ）を規定する所定の一辺Ｒ以外の他の辺Ｓ、辺Ｔ、辺Ｕに沿った端部の領域４０ｃが、第２領域である。
なお、図７において、領域４０ｂは、未分類のチラシ画像を表示する分類作業領域である。また、領域４０ｄは、店舗名を表示する領域、領域４０ｅは、メッセージを表示する領域である。また、この図において、例えば辺Ｒは、左辺に割り当てられている。また辺Ｓが上辺、辺Ｔが右辺、辺Ｕが下辺に割り当てられており、これら３辺に沿って領域４０ｃが割り当てられている。他店舗表示ボタンＪ１は、領域４０ｂの右上、領域４０ｄの下部に表示される。
以下、領域４０ａを第１領域４０ａ、領域４０ｂを分類作業領域４０ｂ、領域４０ｃを第２領域４０ｃ、領域４０ｄを店舗名表示領域４０ｄとも記載する。
【００５４】
なお、配信広告表示制御部４４１は、第１領域上に選択チラシ画像が移動してきたときに、第１領域である旨を明示的に表示するようにしてもよい。つまり、配信広告表示制御部４４１は、第１領域上にチラシ画像を表示していないときは第１領域を明示的に表示せずに、第１領域上にチラシ画像を表示しているときに第１領域を明示的に表示するようにしてもよい。
【００５５】
また、配信広告表示制御部４４１は、分類部４７によって第１の画像に分類されたチラシ画像を識別する情報を第１領域に表示するようにしてもよい。つまり、配信広告表示制御部４４１は、既に「閲覧必要」として記憶部４３に記憶されているチラシ画像を識別する情報（例えば、画像ファイル名、広告店舗名、それらを示すアイコン）を第１領域に表示するようにしてもよい。
【００５６】
続いて、端末装置４において、チラシ画像を分類する画面に至る迄の画面の遷移について説明する。図８は、表示画面４０における表示例である。
端末装置４は、表示制御部４４の制御によってアイコンＥの表示中に（図８の（ｉ））、操作受付部４５によってアイコンＥのタッチを検知した場合、表示制御部４４の制御によってメニュー画面（図８の（ｉｉ））を表示する。メニュー画面には、「今日のチラシを見る」と表示されたボタンＦ、今日のチラシの総数を示すアイコンＧなどが配置されている。
【００５７】
端末装置４は、操作受付部４５によってメニュー画面上のボタンＦのタッチを検知した場合、表示制御部４４の制御によって、チラシ画像のチェック（分類）の開始画面（図８の（ｉｉｉ））を表示する。端末装置４は、操作受付部４５によって開始画面上の「ＯＫ」ボタンのタッチを検知した場合、配信広告表示制御部４４１の制御によって、今日のチラシ画像をランダムに表示したチェック画面（図８の（ｉｖ））を表示する。
【００５８】
また、端末装置４は、上述のメニュー画面（図８の（ｉｉ））から開始画面（図８の（ｉｉｉ））へ遷移に代えて又は加えて、報知画面（図８の（ｖ））から開始画面（図８の（ｉｉｉ））へ遷移させても良い。つまり、端末装置４は、送受信部４２が配信データを受信したときに、表示制御部４４の制御によって、チラシ画像の受信を報知する報知画面を表示し、操作受付部４５によって報知画面上の「みる」ボタンのタッチを検知した場合、開始画面（図８の（ｉｉｉ））を表示するようにしてもよい。
【００５９】
次に、広告配信システムの動作について説明する。
【００６０】
図９は、広告配信装置１の動作の一例を示すフローチャートである。
端末装置４の配信要求部４１は、ユーザ位置情報及び検索条件を設定した配信要求を送受信部４２に出力し、広告配信装置１への送信を指示する。ユーザ位置情報は、例えば、端末装置４が備える入力部（非図示）によりユーザが入力した所在地の情報であってもよく、端末装置４が備えるＧＰＳ（Ｇｌｏｂａｌ Ｐｏｓｉｔｉｏｎｉｎｇ Ｓｙｓｔｅｍ）（非図示）が取得した情報であってもよい。
【００６１】
広告配信装置１の送受信部１２は、ネットワーク９を介して端末装置４から配信要求を受信し、要求受信部１３に出力する（ステップＳ１０５）。プル型の配信を行う場合、要求受信部１３は、配信要求を受信すると直ちに配信要求から検索条件とユーザ位置情報を読み出し、検索条件を検索部１４に出力し、ユーザ位置情報を重複検出部１５に出力する。一方、プッシュ型の配信を行う場合、要求受信部１３は、配信要求を記憶部１１に記憶しておき、所定の時間ごとに、記憶部１１に記憶されている配信要求から検索条件とユーザ位置情報を読み出し、検索条件を検索部１４に出力し、ユーザ位置情報を重複検出部１５に出力する。なお、検索条件としてユーザ位置情報を用いる場合、配信要求に検索条件が設定されていなくてもよい。この場合、要求受信部１３は、ユーザ位置情報を検索条件として検索部１４に出力する。
【００６２】
検索部１４は、店舗管理情報の検索情報を参照し、要求受信部１３から入力された検索条件に合致する店舗を広告配信店舗として特定する。例えば、検索条件がユーザ位置情報であり、検索情報に郵便番号を用いる場合、検索部１４は、ユーザ位置情報を郵便番号に変換し、変換した郵便番号が検索情報に含まれる店舗を広告配信店舗として特定する。あるいは、検索部１４は、検索情報が店舗位置情報である場合、ユーザ位置情報と店舗位置情報とから算出した距離が所定以内である店舗を広告配信店舗として特定する（ステップＳ１１０）。
【００６３】
重複検出部１５は、検索部１４が特定した広告配信店舗のチラシ画像ＩＤを店舗管理情報から読み出し、チラシ画像ＩＤが重複している広告配信店舗があるかを判断する（ステップＳ１１５）。重複検出部１５が、重複なしと判断した場合（ステップＳ１１５：ＮＯ）、配信部１６はステップＳ１３０の処理を行う。一方、重複ありと判断した場合（ステップＳ１１５：ＹＥＳ）、重複検出部１５は、チラシ画像ＩＤが重複している広告配信店舗それぞれの店舗位置情報を記憶部１１に記憶されている店舗管理情報から読み出し、読み出した店舗位置情報とユーザ位置情報とから距離を算出する（ステップＳ１２０）。重複検出部１５は、重複があるチラシ画像ＩＤ毎に、当該チラシ画像ＩＤに対応する広告配信店舗の表示優先度を、算出した距離が近い順に決定する（ステップＳ１２５）。
【００６４】
配信部１６は、検索部１４により特定された広告配信店舗に対応した店舗名、店舗詳細情報及びチラシ画像ＩＤを記憶部１１に記憶されている店舗管理情報から読み出す。配信部１６は、読み出したチラシ画像ＩＤのうち、重複検出部１５により重複が検出されたチラシ画像ＩＤについては１つのみを残し、重複をなくしておく。配信部１６は、読み出したチラシ画像ＩＤそれぞれにより特定されるチラシ画像を記憶部１１から読み出す。配信部１６は、読み出したチラシ画像と、当該チラシ画像のチラシ画像ＩＤに対応した１以上の広告配信店舗の広告実施店舗情報とを対応付けた配信データを生成する。広告実施店舗情報には、広告配信店舗の店舗名及び店舗詳細情報を設定した表示店舗情報と、当該広告実施店舗情報が対応するチラシ画像ＩＤについて重複検出部１５が決定した当該広告配信店舗の表示優先度とが設定される。なお、チラシ画像ＩＤに対応した広告配信店舗が１つのみの場合、最も高い表示優先度を設定する。また、配信データに設定する店舗詳細情報は、店舗管理情報に設定されている店舗詳細情報の一部でもよい。配信部１６は、生成した配信データを送受信部１２に出力して端末装置４への送信を指示し、送受信部１２は、ネットワーク９を介して端末装置４に配信データを送信する（ステップＳ１３０）。
【００６５】
図１０、及び図１１は、端末装置４の動作の一例を示すフローチャートである。
図１０において、端末装置４の送受信部４２が、広告配信装置１から配信データを受信すると、記憶部４３は、受信した配信データに、各チラシ画像の状態を表す情報及び選択店舗情報を付加して記憶する。状態を表す情報には、初期値として未分類が設定され、選択店舗情報には初期値として最も高い表示優先度が設定される（ステップＳ２０５）。
【００６６】
図８の（ｉ）〜（ｉｉｉ）の画面遷移の後、配信広告表示制御部４４１は、図８（ｉｖ）のように、表示画面４０上に記憶部４３から読み出したチラシ画像をランダムに配置して表示する（ステップＳ２１０）。そして、操作受付部４５は、図８（ｉｖ）のような画面が表示された表示画面４０上において、一のチラシ画像についての選択操作を受けたか否かを判断する（ステップＳ２１５）。操作受付部４５は、選択操作を受けていないと判断した場合（ステップＳ２１５：ＮＯ）、ステップＳ２１５の処理を繰り返し、選択操作を待つ。
【００６７】
操作受付部４５が、一のチラシ画像についての選択操作を受けたと判断した場合（ステップＳ２１５：ＹＥＳ）、配信広告表示制御部４４１は、選択操作を受けた一のチラシ画像、すなわち、選択チラシ画像の向きを、表示画面４０の上下方向と一致するようにし、他のチラシ画像よりも手前に表示する（ステップＳ２２０）。
【００６８】
配信広告表示制御部４４１は、記憶部４３に選択チラシ画像に対応して複数広告実施店舗情報が設定されているかにより、選択チラシ画像に対応した広告実施店舗が複数あるか否かを判断する（ステップＳ２２５）。
【００６９】
広告実施店舗が複数あると判断した場合（ステップＳ２２５：ＹＥＳ）、配信広告表示制御部４４１は、記憶部４３から選択チラシ画像に対応した選択店舗情報を読み出し、当該選択チラシ画像に対応した広告実施店舗情報のうち、読み出した選択店舗情報が示す表示優先度が設定されている広告実施店舗情報を特定する。配信広告表示制御部４４１は、特定した広告実施店舗情報から読み出した店舗名を、利用予定の広告実施店舗の店舗名として表示画面４０に表示する。さらに、配信広告表示制御部４４１は、広告実施店舗の一覧表示を指示するための他店舗表示ボタンＪ１を表示画面４０に表示する（ステップＳ２３０）。
【００７０】
操作受付部４５は、表示画面４０上において他店舗表示ボタンＪ１の選択操作を受けたか否かを判断する（ステップＳ２３５）。操作受付部４５が他店舗表示ボタンＪ１の選択操作を受けたと判断した場合（ステップＳ２３５：ＹＥＳ）、広告実施店舗一覧表示制御部４４２は、選択チラシ画像に対応した全ての広告実施店舗情報それぞれから店舗名及び表示優先度を読み出し、読み出した店舗名の一覧を、表示優先度の順に表示画面４０に表示する（ステップＳ２４０）。
【００７１】
操作受付部４５は、表示画面４０上において一覧表示されている店舗名により、利用予定の店舗として他の広告実施店舗を選択する操作を受けたか否かを判断する（ステップＳ２４５）。操作受付部４５が他の広告実施店舗の選択操作を受けたと判断した場合（ステップＳ２４５：ＹＥＳ）、選択店舗更新部４６は、選択チラシ画像に対応して記憶部４３に記憶されている選択店舗情報を、選択された他の広告実施店舗の表示優先度に書き換える。配信広告表示制御部４４１は、他店舗表示ボタンＪ１が選択されたときに表示していた状態のチラシ画像を表示画面４０に表示する。さらに配信広告表示制御部４４１は、選択された他の広告実施店舗の店舗名と他店舗表示ボタンＪ１を表示画面４０に表示する（ステップＳ２５０）。端末装置４は、ステップＳ２３５からの処理を繰り返す。
【００７２】
ステップＳ２４５において、操作受付部４５が他の広告実施店舗の選択操作を受けなかったと判断した場合（ステップＳ２４５：ＮＯ）、配信広告表示制御部４４１は、他店舗表示ボタンＪ１が選択されたときに表示していた状態のチラシ画像、店舗名、及び他店舗表示ボタンＪ１を表示画面４０に表示する（ステップＳ２５５）。端末装置４は、ステップＳ２３５からの処理を繰り返す。
【００７３】
なお、ステップＳ２３５において、操作受付部４５が、他店舗表示ボタンＪ１が選択されていないと判断した場合（ステップＳ２３５：ＮＯ）、端末装置４は、図１１の処理を行う。
また、ステップＳ２２５において、広告実施店舗が１店舗であると判断した場合（ステップＳ２２５：ＹＥＳ）、配信広告表示制御部４４１は、選択チラシ画像に対応して記憶部４３に記憶されている広告実施店舗情報から店舗名を読み出し、表示画面４０に表示する（ステップＳ２６０）。端末装置４は、図１１の処理を行う。
【００７４】
図１１において、操作受付部４５が、選択チラシ画像について表示画面４０の第１領域への移動操作を受け付けたか否かを判断する（ステップＳ３０５）。
【００７５】
ステップＳ３０５において、操作受付部４５が、選択チラシ画像について表示画面４０の第１領域への移動操作を受け付けた場合（ステップＳ３０５：ＹＥＳ）、分類部４７は、未分類として記憶されていた当該選択チラシ画像を、閲覧必要として記憶するように記憶部４３を制御する（ステップＳ３１０）。また、配信広告表示制御部４４１は、表示画面４０の分類作業領域から当該選択チラシ画像を消去するとともに（ステップＳ３１５）、表示画面４０の第１領域に当該選択チラシ画像を識別する情報を表示するように制御する（ステップＳ３２０）。さらに、配信広告表示制御部４４１は、表示画面４０に表示させていた店舗名を消去するように制御してもよい。配信広告表示制御部４４１は、ステップＳ２３０において他店舗表示ボタンＪ１を表示画面４０に表示させていた場合、店舗名に合わせて他店舗表示ボタンＪ１も消去するように制御する。そして、ステップＳ３４０に進む。
【００７６】
一方、ステップＳ３１５において、操作受付部４５は、選択チラシ画像について表示画面４０の第１領域への移動操作を受け付けなかった場合（ステップＳ３１５：ＮＯ）、操作受付部４５は、当該選択チラシ画像について、表示画面４０の第２領域への移動操作を受け付けたか否かを判断する（ステップＳ３２５）。
【００７７】
ステップＳ３２５において、操作受付部４５が、選択チラシ画像について表示画面４０の第２領域への移動操作を受け付けた場合（ステップＳ３２５：ＹＥＳ）、分類部４７は、未分類として記憶されていた当該選択チラシ画像を、閲覧不要として記憶するように記憶部４３を制御する（ステップＳ３３０）。また、配信広告表示制御部４４１は、表示画面４０の分類作業領域から当該選択チラシ画像を消去するとともに、表示画面４０に表示させていた店舗名を消去するように制御する（ステップＳ３３５）。配信広告表示制御部４４１は、ステップＳ２３０において他店舗表示ボタンＪ１を表示画面４０に表示させていた場合、店舗名に合わせて他店舗表示ボタンＪ１も消去するように制御する。そして、ステップＳ３４０に進む。
【００７８】
一方、ステップＳ３２５において、操作受付部４５が選択チラシ画像について表示画面４０の第２領域への移動操作を受け付けなかった場合（ステップＳ３２５：ＮＯ）、ステップＳ３４０に進む。
【００７９】
ステップＳ３２０、ステップＳ３２５（ＮＯ）、ステップＳ３３５に続いて、終了判定部（非図示）は、分類処理を終了するか否かを判断する（ステップＳ３４０）。例えば、未分類のチラシ画像が無くなった場合、ユーザから分類を終了する旨の操作を受け付けた場合に、終了判定部（非図示）は、分類処理を終了するか否かを判断する。終了判定部（非図示）は、分類処理を終了すると判断したときは（ステップＳ３４０：ＹＥＳ）、本フローチャートは終了し、分類処理を終了しないと判断したときは（ステップＳ３４０：ＮＯ）、図１０のステップＳ２１５に戻る。
【００８０】
続いて、具体例を用いて、図１０及び図１１に示すフローチャートを更に説明する。図１２〜図１５は、表示画面４０における表示例である。図１２〜図１５は、未分類のチラシ画像である画像Ａ、画像Ｂ、画像Ｃ、画像Ｄを、画像Ａ、画像Ｂ、画像Ｃ、画像Ｄの順に分類するユーザの一連の分類操作を表している。
【００８１】
端末装置４の送受信部４２が、図４に示す配信データを広告配信装置１から受信すると、記憶部４３が、図６（ａ）に示すようにデータを記憶する（ステップＳ２０５）。ただし、画像Ａの選択店舗情報は初期値の「１」であり、画像Ａ、画像Ｂ、画像Ｃ、画像Ｄとも状態は「未分類」である。
【００８２】
配信広告表示制御部４４１は、図８（ｉｖ）に示すように、チェック画面の分類作業領域４０ｂに未分類の画像Ａ、画像Ｂ、画像Ｃ、画像Ｄを表示する（ステップＳ２１０）。このとき、ユーザが、表示画面４０における画像Ａの表示領域に指で触れると、操作受付部４５は、画像Ａの選択操作を受け付けたと判断する（ステップＳ２１５：ＹＥＳ）。配信広告表示制御部４４１は、図１２（ｉ）に示すように、画像Ａの天地を調整して一番手前に表示する（ステップＳ２２０）。配信広告表示制御部４４１は、画像Ａに複数の広告実施店舗情報が対応しているため、広告実施店舗が複数あると判断し（ステップＳ２２５：ＹＥＳ）、画像Ａに対応した選択店舗の店舗名を店舗名表示領域４０ｄに表示するとともに、他店舗表示ボタンＪ１を表示画面４０に表示する（ステップＳ２３０）。画像Ａの選択店舗情報は初期値「１」であるため、店舗名として、表示優先度「１」が設定されている広告実施店舗情報から読み出した「○○スーパー／ａ１店」が表示される。また、他店舗表示ボタンＪ１は、店舗名表示領域４０ｄの右下の分類作業領域４０ｂ内に表示されている。
【００８３】
ユーザが、表示画面４０における他店舗表示ボタンＪ１の表示領域に指で触れると、操作受付部４５は、他店舗表示ボタンＪ１の選択操作を受けたと判断する（ステップＳ２３５：ＹＥＳ）。広告実施店舗一覧表示制御部４４２は、図１２（ｉｉ）に示すように、画像Ａに対応した全ての広告実施店舗情報から表示優先度及び店舗名を読み出し、読み出した店舗名の一覧を表示優先度の順に表示画面４０に表示する（ステップＳ２４０）。同図においては、各店舗名の横に選択ボタンをさらに表示している。デフォルトでは、選択店舗に対応した選択ボタンが選択されている。
【００８４】
ユーザが、表示画面４０における店舗名「○○スーパー／ａ３店」の表示領域に指で触れると、操作受付部４５は、他の広告実施店舗の選択操作を受けたと判断する（ステップＳ２４５：ＹＥＳ）。選択店舗更新部４６は、画像Ａに対応して記憶部４３に記憶されている選択店舗情報を、選択された店舗名「○○スーパー／ａ３店」に対応した表示優先度「３」に書き換える。配信広告表示制御部４４１は、図１２（ｉｉｉ）に示すように、店舗名表示領域４０ｄを除き、他店舗表示ボタンＪ１が選択されたときの図１２（ｉ）と同様の画面を表示画面４０に表示する。配信広告表示制御部４４１は、店舗名表示領域４０ｄには、選択された店舗名「○○スーパー／ａ３店」を表示する（ステップＳ２５０）。
【００８５】
図１２（ｉｖ）に示すように、操作受付部４５は、画像Ａについて第１領域４０ａへの移動操作を受け付けた場合（ステップＳ２３５：ＮＯ、ステップＳ３１５：ＹＥＳ）、分類部４７は、未分類として記憶されていた画像Ａを、閲覧必要として記憶するように記憶部４３を制御する（ステップＳ３１０）。配信広告表示制御部４４１は、図１２（ｖ）に示すように、分類作業領域４０ｂから画像Ａを消去するとともに（ステップＳ３１５）、第１領域４０ａに画像Ａを識別する情報（アイコンＩａ）を表示するように制御する（ステップＳ３２０）。さらに、配信広告表示制御部４４１は、店舗名表示領域４０ｄに表示していた店舗名と、分類作業領域４０ｂに表示していた他店舗表示ボタンＪ１を消去するように制御する。また、配信広告表示制御部４４１は、配信データで受信したチラシ画像のうち何枚が未分類であるかのメッセージを、店舗名を消去した後に店舗名表示領域４０ｄに表示させてもよい。
【００８６】
なお、図１２（ｉｖ）に示すように、配信広告表示制御部４４１は、第１領域４０ａ上にチラシ画像が移動してきたときに、第１領域である旨を明示的に表示している（説明の便宜上、明示的に表示している旨を斜線にて表しているが、実際には、斜線を用いて第１領域である旨を表示しなくてもよい。例えば、第１領域を他の領域と異なる色にて表示してもよい）。
【００８７】
続いて、チェック画面の分類作業領域４０ｂに未分類の画像Ｂ、画像Ｃ、画像Ｄが表示されている場合に、ユーザが、表示画面４０における画像Ｂの表示領域に指で触れると、操作受付部４５は、画像Ｂの選択操作を受け付けたと判断する（ステップＳ２１５：ＹＥＳ）。配信広告表示制御部４４１は、図１３（ｉ）に示すように、画像Ｂの天地を調整して一番手前に表示する（ステップＳ２２０）。配信広告表示制御部４４１は、画像Ｂに広告実施店舗が１つのみ対応しているため（ステップＳ２２５：ＮＯ）、他店舗表示ボタンＪ１は表示せず、店舗名表示領域４０ｄに画像Ｂに対応した店舗名「××マーケット／ｂ１店」を表示する（ステップＳ２６０）。
【００８８】
図１３（ｉｉ）に示すように、操作受付部４５が、画像Ｂについて表示画面４０の第２領域４０ｃへの移動操作を受け付けた場合（ステップＳ３２５：ＹＥＳ）、分類部４７は、未分類として記憶されていた画像Ｂを、閲覧不要として記憶するように記憶部４３を制御する（ステップＳ３３０）。配信広告表示制御部４４１は、図１３（ｉｉｉ）に示すように、分類作業領域４０ｂから画像Ｂを消去するとともに、店舗名表示領域４０ｄに表示していた店舗名を消去するように制御する（ステップＳ３３５）。また、配信広告表示制御部４４１は、配信データで受信したチラシ画像のうち何枚が未分類であるかのメッセージを、店舗名を消去した後に店舗名表示領域４０ｄに表示させてもよい。
【００８９】
続いて、チェック画面の分類作業領域４０ｂに未分類の画像Ｃ、画像Ｄが表示されている場合に、ユーザが、表示画面４０における画像Ｃの表示領域に指で触れると、操作受付部４５は、画像Ｃの選択操作を受け付けたと判断する（ステップＳ２１５：ＹＥＳ）。配信広告表示制御部４４１は、図１４（ｉ）に示すように、画像Ｃの天地を調整して一番手前に表示する（ステップＳ２２０）。配信広告表示制御部４４１は、画像Ｃに広告実施店舗が複数あると判断し（ステップＳ２２５：ＹＥＳ）、画像Ｃに対応した選択店舗の店舗名「○○スーパー／ａ２店」を店舗名表示領域４０ｄに表示するとともに、他店舗表示ボタンＪ１を分類作業領域４０ｂに表示する（ステップＳ２３０）。
【００９０】
図１４（ｉｉ）に示すように、操作受付部４５が、他店舗表示ボタンＪ１の選択操作を受けないまま（ステップＳ２３５：ＮＯ）、画像Ｃについて表示画面４０の第１領域４０ａへの移動操作を受け付けた場合（ステップＳ３１５：ＹＥＳ）、分類部４７は、未分類として記憶されていた画像Ｃを、閲覧必要として記憶するように記憶部４３を制御する（ステップＳ３１０）。配信広告表示制御部４４１は、図１４（ｉｉｉ）に示すように、分類作業領域４０ｂから画像Ｃを消去するとともに（ステップＳ３１５）、第１領域４０ａに画像Ｃを識別する情報（アイコンＩｃ）を表示するように制御する（ステップＳ３２０）。さらに、配信広告表示制御部４４１は、店舗名表示領域４０ｄに表示していた店舗名と、分類作業領域４０ｂに表示していた他店舗表示ボタンＪ１を消去するように制御する。また、配信広告表示制御部４４１は、配信データで受信したチラシ画像のうち何枚が未分類であるかのメッセージを、店舗名を消去した後に店舗名表示領域４０ｄに表示させてもよい。
なお、図１４（ｉｉ）に示すように、配信広告表示制御部４４１は、第１領域４０ａ上にチラシ画像が移動してきたときに、第１領域である旨を明示的に表示するとともに、既に閲覧必要として記憶しているチラシ画像を識別する情報（アイコンＩａ）を第１領域内に表示するように制御する。
【００９１】
続いて、チェック画面の分類作業領域４０ｂに未分類の画像Ｄが表示されている場合に、ユーザが、表示画面４０における画像Ａの表示領域に指で触れると、操作受付部４５は、画像Ｄの選択操作を受け付けたと判断する（ステップＳ２１５：ＹＥＳ）。配信広告表示制御部４４１は、図１５（ｉ）に示すように、画像Ｄの天地を調整して表示する（ステップＳ２２０）。配信広告表示制御部４４１は、画像Ｄに広告実施店舗が１つのみ対応しているため（ステップＳ２２５：ＮＯ）、他店舗表示ボタンＪ１は表示せず、店舗名表示領域４０ｄに画像Ｄに対応した店舗名「○○スーパー／ａ１店」を表示する（ステップＳ２６０）。
【００９２】
図１５（ｉｉ）に示すように、操作受付部４５が、画像Ｄについて表示画面４０の第２領域４０ｃへの移動操作を受け付けた場合（ステップＳ３２５：ＹＥＳ）、分類部４７は、未分類として記憶されていた画像Ｄを、閲覧不要として記憶するように記憶部４３を制御する（ステップＳ３３０）。配信広告表示制御部４４１は、図１５（ｉｉｉ）に示すように、分類作業領域４０ｂから画像Ｄを消去するとともに、店舗名表示領域４０ｄに表示していた店舗名を消去するように制御する（ステップＳ３３５）。また、配信広告表示制御部４４１は、配信データで受信したチラシ画像のうち何枚が未分類であるかのメッセージを、店舗名を消去した後に店舗名表示領域４０ｄに表示させてもよい。
【００９３】
以上、端末装置４によれば、ユーザは、図１２〜図１５に示すように、チラシ画像を選択することによって、広告実施店舗を確認することができるとともに、同じチラシの広告実施店舗があるか否かを把握することができる。そして、広告実施店舗が複数ある場合には、他店舗表示ボタンＪ１を選択することによって、他の広告実施店舗を見ることができる。また、広告実施店舗は、ユーザ位置から近い順に表示されるため、ユーザはどの店舗が利用しやすいかを把握することができる。また、ユーザが表示画面４０に表示されているチラシ画像を選択したときに、まだ他の広告実施店舗が選択されていない初期状態では、ユーザ位置から最も所在地が近い、すなわち、ユーザが利用する可能性が最も高い店舗の店舗名が表示される。よって、ユーザが他店舗表示ボタンＪ１を選択する手間を軽減することができる。また、他店舗表示ボタンＪ１を店舗名表示領域４０ｄの近傍に表示するため、ユーザが広告実施店舗の店舗名を確認する際に、他にも広告実施店舗があることを視認しやすくすることができる。
【００９４】
また、チラシ画像の表示位置を移動させることによって当該チラシ画像を分類することができるため、紙のチラシを扱うのに近い感覚で、チラシ画像を分別することができる。また、図１２〜図１５に示すように、チラシ画像をゲーム感覚で楽しく、片付けることができる。
【００９５】
また、分類部４７は、チラシ画像の移動先が、領域４０ａ、領域４０ｂ及び領域４０ｃを含む範囲の何れの辺に沿った端部の領域であるかに応じて当該チラシ画像を分類しているため、ユーザは、閲覧必要又は閲覧不要の分類先に応じて、何れかの辺の方向に、チラシ画像を移動させるのみで、チラシ画像を分類できる。従って、例えば、表示画面４０のフォルダなどを表示している閉領域等の特定の領域に移動させるよりも、簡便に、チラシ画像を分類することができる。
【００９６】
なお、上記実施例においては、操作受付部４５は、ユーザが、表示画面４０上において一のチラシ画像の表示領域に指で触れた場合、当該指の操作をチラシ画像の選択操作として受け付け、選択されたチラシ画像の表示領域に指で触れたままの状態で指が触れている位置を移動させた場合、当該指の移動操作を、当該チラシ画像の表示位置の移動操作として受け付けると説明したが、操作受付部４５が移動操作として受け付ける操作はこれに限定されない。
【００９７】
図１６は、表示画面４０における表示例である。例えば、操作受付部４５は、図１６に示すように、表示画面４０上において一のチラシ画像の表示領域をフリックする操作を、当該チラシ画像の表示位置の移動操作として受け付けるようにしてもよい。なお、フリックする操作とは、例えば、弾く、滑らせる、投げる操作である。
【００９８】
なお、フリックの場合、配信広告表示制御部４４１は、弾く際に最初にチラシ画像上の指を付けた位置及び当該チラシ画像を弾いて指を離した位置に基づいて算出されるチラシ画像の移動方向と、弾く際の勢い（チラシ画像に与えた加速度）に基づいて算出されるチラシ画像の速さとから、フリック後に移動するチラシ画像（弾かれたチラシ画像）を表示画面４０に表示させるように制御する。なお、弾かれたチラシ画像は、弾かれた後に減速せずに等速運動をするようにしてもよいし、予め定めた摩擦計数に従って徐々に減速、停止するようにしてもよい。
【００９９】
また、分類部４７は、フリック後に移動するチラシ画像の少なくとも一部が、表示画面４０の第１領域上に表示されたときに、当該チラシ画像を第１の画像（閲覧必要）に分類する。また、分類部４７は、フリック後に移動するチラシ画像の少なくとも一部が、表示画面４０の第２領域上に表示されたときに、当該チラシ画像を第２の画像（閲覧不要）に分類する。
【０１００】
また、上記実施例においては、閲覧必要に振り分けるための第１領域は、チラシ画像の移動範囲を規定する左辺に沿った端部の領域であると説明したが、第１領域は当該端部に限定されない。例えば、移動範囲を規定する右辺、上辺、下辺の何れかの辺に沿った端部の領域を第１領域としてもよい。また、移動範囲を規定する何れかの１辺に沿った端部の領域を第１領域とするのではなく、２辺又は３辺に沿った端部の領域を第１領域としてもよい。
【０１０１】
また、同様に、上記実施例においては、閲覧不要に振り分けるための第２領域は、チラシ画像の表示画面４０上の移動範囲を規定する３辺（例えば、上辺、右辺、下辺）に沿った端部の領域であると説明したが、第２領域はこれに限定されず、第１領域とする端部以外の端部の全部又は一部を第２領域とすればよい。例えば、移動範囲を規定する上辺に沿った端部の領域を第１領域とした場合、上辺以外の端部である左辺、下辺、右辺の３辺の全部又は一部に沿った端部を第２領域としてもよい。
【０１０２】
また、上記実施例においては、分類部４７は操作受付部４５によって受け付けたチラシ画像の表示位置の移動先に応じてチラシ画像を閲覧必要と閲覧不要とに分類すると説明したが、端末装置４は、上述のような、未分類の状態のチラシ画像を分類済の状態にする分類機能に加え、分類済の状態（閲覧必要又は閲覧不要）のチラシ画像を未類済の状態にする分類やり直し機能（リセット機能）を更に備えていてもよい。具体的には、端末装置４が分類やり直し部（非図示）を備え、分類やり直し部は、操作受付部４５を介して受け付けた分類やり直し操作に応じて、分類済の状態のチラシ画像を未類済の状態に戻してもよいし、分類部４７が分類やり直し機能を有し、上述の分類やり直し操作に応じて、分類済の状態のチラシ画像を未類済の状態に戻してもよい。なお、分類済の状態のチラシ画像を未類済の状態に戻したときは、記憶部４３の記憶の状態、及び、表示画面の表示の状態が、分類済の状態から未分類のときの状態に戻る。
【０１０３】
続いて、分類作業領域４０ｂに一度（一斉）に表示できるチラシ画像の数に関して説明する。分類作業領域４０ｂには、例えば、図１２に示すように、チラシ画像は重ねて表示できる。従って、今日のチラシの総数（図８の（ｉｉ）のアイコンＧ）分の全てのチラシ画像を一度に分類作業領域４０ｂに表示することができる。
【０１０４】
なお、今日のチラシの総数分の全てのチラシ画像を一度に分類作業領域４０ｂに表示する態様、即ち、分類作業領域４０ｂに一度に表示するチラシ画像の数を制限しない態様に代えて、分類作業領域４０ｂに一度に表示するチラシ画像の数を制限する態様としてもよい。換言すれば、分類対象のチラシ画像の全てではなく一部を分類作業領域４０ｂに表示する態様としてもよい。
具体的には、今日のチラシの総数が、分類作業領域４０ｂに一度に表示できる制限数を超えていた場合には、最初に分類作業領域４０ｂに制限数分のチラシ画像を表示し、他を非表示とし、表示中のチラシ画像を１つ分類する毎に、非表示のチラシ画像を１つずつ分類作業領域４０ｂに追加表示するようにしてもよい。
【０１０５】
図１７は、表示画面４０における表示例である。例えば、制限数が４であって、今日のチラシの総数が６（画像Ａ、画像Ｂ、画像Ｃ、画像Ｄ、画像Ｅ、画像Ｆ）である場合、図１２に相当する分類操作は、図１７のようになる。図１７の例では、配信広告表示制御部４４１は、最初に、図１７（ｉ）に示すように、分類作業領域４０ｂに制限数４に従って４つのチラシ画像（画像Ａ、画像Ｂ、画像Ｃ、画像Ｄ）を表示し、制限数４を超えた２つのチラシ画像（画像Ｅ、画像Ｆ）を非表示としている。そして、図１７（ｉｉ）に示すように、表示中の画像Ａが分類されると、配信広告表示制御部４４１は、図１７（ｉｉｉ）に示すように、非表示としていた画像Ｅを分類作業領域４０ｂに追加表示している。なお、画像Ｆは、表示中の画像Ｂ、画像Ｃ、画像Ｄ、画像Ｅの何れかが分類されたときに分類作業領域４０ｂに追加表示させる。
【０１０６】
続いて、図１２乃至図１５、及び、図１８乃至図２１を用いて、分類結果を参照する画面に関して説明する。図１８乃至図２１は、分類結果表示制御部４４３が表示画面４０に表示させる表示例である。なお、この分類結果を参照する画面の説明において、上述の制限数は４であるものとする。
図１２乃至図１５に示すように、今日のチラシの総数が４（画像Ａ、画像Ｂ、画像Ｃ、画像Ｄ）である場合において、画像Ａの分類後に（図１２（ｖ）の状態において）、領域４０ｅの「チェックしたチラシをみる」がタッチされたときは、分類結果表示制御部４４３は、図１８（ａ）の如く、分類結果を表示画面４０に表示する。
【０１０７】
図１８（図１９、図２０も同様）において、領域４０ａ’は、上述の第１領域４０ａと略同一の位置の領域であって、閲覧必要に分類されたチラシ画像（閲覧必要として記憶されたチラシ画像）を識別する情報を表示する領域４０ａ’−１、未分類のチラシ画像（未分類として記憶されたチラシ画像）を識別する情報を表示する領域４０ａ’−２、及び、閲覧不要に分類されたチラシ画像（閲覧不要として記憶されたチラシ画像）を識別する情報を表示する領域４０ａ’−３から構成されている。なお、領域４０ａ’−１、領域４０ａ’−２、領域４０ａ’−３は、互いに異なる色にて表示してもよいし、他の領域との境界を明示してもよい。
【０１０８】
図１８（図１９、図２０、図２１も同様）において、領域４０ｂ’は、上述の分類作業領域４０ｂと略同一の位置の領域であって、分類結果表示制御部４４３は、閲覧必要に分類されたチラシ画像の１つを領域４０ｂ’に初期表示させる（拡大表示してもよい）。なお、閲覧必要に分類されたチラシ画像が存在しない場合には、分類結果表示制御部４４３は、未分類のチラシ画像、若しくは、閲覧不要に分類されたチラシ画像の１つを領域４０ｂ’に初期表示してもよい。
【０１０９】
また、領域４０ｄ’は、上述の領域４０ｄ’と略同一の位置の領域である。分類結果表示制御部４４３は、領域４０ｂ’に表示されているチラシ画像に対応して記憶部４３に記憶されている選択店舗情報を読み出し、読み出した選択店舗情報が示す表示優先度の店舗名を当該チラシ画像に対応した広告実施店舗情報から読み出して領域４０ｄ’に表示する。さらに、分類結果表示制御部４４３は、店舗情報表示ボタンＪ２を領域４０ｄ’に表示する。
【０１１０】
図１８（図１９、図２０、図２１も同様）において、領域４０ｅ’の「もどる」がタッチされたときは、当該分類結果を参照する画面の表示前の画面に戻る。
【０１１１】
従って、画像Ａの分類後に（図１２（ｖ）の状態において）、「チェックしたチラシをみる」がタッチされたときは、分類結果表示制御部４４３は、記憶部４３に記憶されている各チラシ画像の状態を読み出し、図１８（ａ）の如く、領域４０ａ’−１に、閲覧必要に分類された画像Ａを識別するアイコンＩａを表示し、領域４０ａ’−２に、未分類の画像Ｂ、画像Ｃ、画像Ｄを識別するアイコンＩｂ、アイコンＩｃ、アイコンＩｄを表示する。閲覧不要に分類されたチラシ画像は無いため、領域４０ａ’−３には何も表示しない。
また、分類結果表示制御部４４３は、領域４０ｂ’には、領域４０ａ’−１に表示されたアイコンＩａに対応する画像Ａを記憶部４３から読み出し、初期表示する。さらに分類結果表示制御部４４３は、画像Ａの選択店舗情報を読み出し、画像Ａに対応した広告実施店舗情報のうち選択店舗情報が示す表示優先度「３」の広告実施店舗情報から店舗名を読み出す。分類結果表示制御部４４３は、読み出した店舗名「○○スーパー／ａ３店」と店舗情報表示ボタンＪ２を領域４０ｄ’に表示する。
なお、領域４０ａ’−２又は領域４０ａ’−３に表示された他のアイコンがタッチされた場合には、分類結果表示制御部４４３は、初期表示した画像Ａに代えて、タッチされたアイコンに対応するチラシ画像を記憶部４３から読み出して領域４０ｂ’に表示する。さらに分類結果表示制御部４４３は、領域４０ｂ’に表示したチラシ画像の選択店舗情報が示す表示優先度の広告実施店舗情報から店舗名を読み出し、店舗情報表示ボタンＪ２とともに領域４０ｄ’に表示する。
なお、図１８（ａ）において、領域４０ｅ’の「もどる」がタッチされたときは、当該画面の表示前の画面に戻る。即ち、配信広告表示制御部４４１は、図１２（ｖ）の画面を表示する。図１８（ｂ）、及び、図１９乃至図２１に記載の他の分類結果を参照する画面についても同様である。
【０１１２】
また、画像Ｂの分類後に（図１３（ｉｉｉ）の状態において）、「チェックしたチラシをみる」がタッチされたときは、分類結果表示制御部４４３は、記憶部４３に記憶されている各チラシ画像の状態を読み出し、図１８（ｂ）の如く、領域４０ａ’−１に、閲覧必要に分類された画像Ａを識別するアイコンＩａを表示し、領域４０ａ’−２に、未分類の画像Ｃ、画像Ｄを識別するアイコンＩｃ、アイコンＩｄを表示し、領域４０ａ’−３に、閲覧不要に分類された画像Ｂを識別するアイコンＩｂを表示する。なお、分類結果表示制御部４４３は、領域４０ｂ’には、領域４０ａ’−１に表示されたアイコンＩａに対応する画像Ａを初期表示する。さらに、分類結果表示制御部４４３は、画像Ａの選択店舗情報が示す表示優先度の広告実施店舗情報から店舗名を読み出し、店舗情報表示ボタンＪ２を領域４０ｄ’とともに表示する。他のアイコンがタッチされた場合には、分類結果表示制御部４４３は、初期表示した画像Ａに代えて、タッチされたアイコンに対応するチラシ画像を記憶部４３から読み出して領域４０ｂ’に表示する。さらに、分類結果表示制御部４４３は、領域４０ｂ’に表示されているチラシ画像の選択店舗情報が示す表示優先度の広告実施店舗情報から店舗名を読み出し、店舗情報表示ボタンＪ２とともに領域４０ｄ’に表示する。
【０１１３】
また、画像Ｃの分類後に（図１４（ｉｉｉ）の状態において）、「チェックしたチラシをみる」がタッチされたときは、分類結果表示制御部４４３は、記憶部４３に記憶されている各チラシ画像の状態を読み出し、図１９（ａ）の如く、領域４０ａ’−１に、閲覧必要に分類された画像Ａ、画像Ｃを識別するアイコンＩａ、アイコンＩｃを表示し、領域４０ａ’−２に、未分類の画像Ｄを識別するアイコンＩｄを表示し、領域４０ａ’−３に、閲覧不要に分類された画像Ｂを識別するアイコンＩｂを表示する。なお、分類結果表示制御部４４３は、領域４０ｂ’には、領域４０ａ’−１の最上部に表示されたアイコンＩａに対応する画像Ａを初期表示する。さらに、分類結果表示制御部４４３は、画像Ａの選択店舗情報が示す表示優先度の広告実施店舗情報から店舗名を読み出し、店舗情報表示ボタンＪ２とともに領域４０ｄ’に表示する。他のアイコンがタッチされた場合には、分類結果表示制御部４４３は、初期表示した画像Ａに代えて、タッチされたアイコンに対応するチラシ画像を領域４０ｂ’に表示する。さらに、分類結果表示制御部４４３は、領域４０ｂ’に表示されているチラシ画像の選択店舗情報が示す表示優先度の広告実施店舗情報から店舗名を読み出し、店舗情報表示ボタンＪ２とともに領域４０ｄ’に表示する。
【０１１４】
また、画像Ｄの分類後に（図１５（ｉｉｉ）の状態において）、「チェックしたチラシをみる」がタッチされたときは、分類結果表示制御部４４３は、記憶部４３に記憶されている各チラシ画像の状態を読み出し、図１９（ｂ）の如く、領域４０ａ’−１に、閲覧必要に分類された画像Ａ、画像Ｃを識別するアイコンＩａ、アイコンＩｃを表示し、領域４０ａ’−３に、閲覧不要に分類された画像Ｂ、画像Ｄを識別するアイコンＩｂ、アイコンＩｄを表示する。未分類のチラシ画像は無いため、領域４０ａ’−２には何も表示しない。なお、領域４０ｂ’には、領域４０ａ’−１の最上部に表示されたアイコンＩａに対応する画像Ａを初期表示する。さらに、分類結果表示制御部４４３は、画像Ａの選択店舗情報が示す表示優先度の広告実施店舗情報から店舗名を読み出し、店舗情報表示ボタンＪ２とともに領域４０ｄ’に表示する。他のアイコンがタッチされた場合には、分類結果表示制御部４４３は、初期表示した画像Ａに代えて、タッチされたアイコンに対応するチラシ画像を領域４０ｂ’に表示する。さらに、分類結果表示制御部４４３は、領域４０ｂ’に表示されているチラシ画像の選択店舗情報が示す表示優先度の広告実施店舗情報から店舗名を読み出し、店舗情報表示ボタンＪ２とともに領域４０ｄ’に表示する。
【０１１５】
また、図１７に示すように、今日のチラシの総数が６（画像Ａ、画像Ｂ、画像Ｃ、画像Ｄ、画像Ｅ、画像Ｆ）である場合、分類結果表示制御部４４３は、画像Ａの分類後に（図１７（ｉｉｉ）の状態において）、「チェックしたチラシをみる」がタッチされたときは、分類結果表示制御部４４３は、記憶部４３に記憶されている各チラシ画像の状態を読み出し、図２０の如く、分類結果を表示する。つまり、分類結果表示制御部４４３は、領域４０ａ’−１に、閲覧必要に分類された画像Ａを識別するアイコンＩａを表示し、領域４０ａ’−２に、未分類の画像Ｂ、画像Ｃ、画像Ｄ、画像Ｅ、画像Ｆを識別するアイコンＩｂ、アイコンＩｃ、アイコンＩｄ、アイコンＩｅ、アイコンＩｆを表示する。即ち、分類作業領域４０ｂに表示中の画像Ｂ、画像Ｃ、画像Ｄ、画像Ｅに加え、非表示中の画像Ｆについても未分類であるため、領域４０ａ’−２にアイコンを表示する。
なお、領域４０ａ’にアイコンが収まらないときは、スクロールするようにしてもよい（図１８、図１９、図２１も同様）。
【０１１６】
なお、図１８乃至図２０に示す例は、閲覧必要に分類されたチラシ画像を識別するアイコン、未分類のチラシ画像を識別するアイコン、及び、閲覧不要に分類されたチラシ画像を識別するアイコンを領域４０ａ’に表示する態様であるが、閲覧必要に分類されたチラシ画像を識別するアイコンのみを領域４０ａ’に表示する態様としてもよい。つまり、例えば、画像Ｂの分類後に（図１３（ｉｉｉ）の状態において）、「チェックしたチラシをみる」がタッチされたときは、分類結果表示制御部４４３は、図１８（ｂ）に代えて、図２１（ａ）の如く、閲覧必要に分類された画像Ａを識別するアイコンＩａのみを表示してもよい。
【０１１７】
また、閲覧必要に分類されたチラシ画像を識別するアイコン、及び、未分類のチラシ画像を識別するアイコンを領域４０ａ’に表示する態様としてもよい。つまり、例えば、画像Ｂの分類後に（図１３（ｉｉｉ）の状態において）、「チェックしたチラシをみる」がタッチされたときは、図１８（ｂ）に代えて、分類結果表示制御部４４３は、図２１（ｂ）の如く、閲覧必要に分類された画像Ａを識別するアイコンＩａ、未分類の画像Ｃ、画像Ｄを識別するアイコンＩｃ、アイコンＩｄを表示してもよい。
【０１１８】
なお、図１８乃至図２１に示す例は、分類結果表示制御部４４３は、領域４０ｅ’に「もどる」を表示しているが、閲覧必要に分類されたチラシ画像の画像数と、うち何番目のチラシ画像を領域４０ｂ’に表示しているかを示す情報を表示してもよい。例えば、図１９（ａ）の場合、閲覧必要に分類された画像数は２（画像Ａ、画像Ｃ）であって１番目の画像Ａを領域４０ｂ’に表示しているため、分類結果表示制御部４４３は、領域４０ｅ’に「１／２」と表示する。また、閲覧必要に分類されたチラシ画像の画像数に代えて、閲覧必要に分類されたチラシ画像、未分類のチラシ画像、閲覧不要に分類されたチラシ画像の合計数を用いてもよい。例えば、図１９（ａ）の場合、合計数は４（画像Ａ、画像Ｃ、画像Ｄ、画像Ｂ）であって１番目の画像Ａを領域４０ｂ’に表示しているため、領域４０ｅ’に「１／４」と表示する。
【０１１９】
図２２は、店舗情報表示制御部４４４が表示画面４０に店舗情報を表示させる表示例である。
図１８乃至図２１のいずれかの表示の状態において、操作受付部４５が、店舗情報表示ボタンＪ２の選択操作を検出すると、店舗情報表示制御部４４４は、店舗情報表示ボタンＪ２が選択操作されたときに領域４０ｂ’に表示されていた画像Ａに対応して記憶部４３に記憶されている選択店舗情報を読み出し、画像Ａに対応した広告実施店舗情報のうち読み出した選択店舗情報が示す表示優先度の広告実施店舗情報を特定する。店舗情報表示制御部４４４は、特定した広告実施店舗情報から表示店舗情報を読み出し、図２２に示すように表示画面４０に表示する。
なお、操作受付部４５が、戻るボタンＪ３の選択操作を検出した場合、分類結果表示制御部４４３は、店舗情報表示制御部４４４が図２２の画面を表示する直前の画面を表示する。
【０１２０】
続いて、分類作業領域４０ｂのチラシ画像の初期表示について説明する。チラシ画像は、所定の、若しくは、ランダムに定める初期位置に表示すると説明し、一例として、図８の（ｉｖ）に示す表示例を示した。他の初期表示の表示例を図２３に示す。図２３は、表示画面４０における表示例である。
即ち、開始画面（図８の（ｉｉｉ））において、「ＯＫ」ボタンがタッチされた場合、図２３（ａ）の如く、チラシ画像の向き（表示画面に対するチラシ画像の傾き）を揃えて表示してもよい。また、図２３（ｂ）の如く、各チラシ画像が重ならないように表示してもよい。また、図２３（ｃ）の如く、各チラシ画像を少しずつ所定方向にずらしながら重ねて表示してもよい。
【０１２１】
なお、上記実施例におけるチラシ画像、即ち、分類作業領域４０ｂにおいて分類するチラシ画像は、実際に閲覧するための閲覧用画像データ（以下、「閲覧用画像」と記載する。）であってもよいし、閲覧用画像に対応するサムネイル画像データ（以下、「サムネイル画像」と記載する。）であってもよい。サムネイル画像を分類する態様の場合には、分類結果参照画面（図１８乃至図２１）の領域４０ｂ’に閲覧用画像を表示する。
【０１２２】
以下、サムネイル画像を分類する態様について説明する。広告配信装置１の記憶部１１は、サムネイル画像と閲覧用画像とを対応付けて記憶する。また、店舗管理情報のチラシ画像ＩＤに代えて、サムネイル画像を識別する情報であるサムネイルＩＤを設定する。広告配信装置１は、チラシ画像ＩＤに代えてサムネイルＩＤを用いて図９と同様の処理を行い、配信部１６はチラシ画像に代えてサムネイル画像を配信データに設定し、端末装置４に送信する。
端末装置４は、チラシ画像に代えてサムネイル画像を用い、図１０、図１１に示す処理を行う。そのため、端末装置４の配信広告表示制御部４４１は、チラシ画像に代えてサムネイル画像を表示画面４０に表示する（図８参照）。なお、端末装置４の送受信部４２は、広告配信装置１から送信された閲覧用画像も受信する（後述）。
【０１２３】
続いて、端末装置４は、ユーザからの指示に応じて、表示画面４０に表示されているサムネイル画像を分類し（図１２乃至図１５参照）、分類結果を記憶する（図６参照）。即ち、端末装置４の操作受付部４５は、配信広告表示制御部４４１によって表示画面４０に表示されたサムネイル画像の表示位置を移動させる移動操作を受け付け、分類部４７は、操作受付部４５によって受け付けたサムネイル画像の表示位置の移動先に応じてサムネイル画像を分類する。
【０１２４】
続いて、端末装置４の分類結果表示制御部４４３は、「チェックしたチラシをみる」がタッチされたときは、分類結果参照画面の領域４０ａ’にサムネイル画像を表示する。端末装置４は、分類結果参照画面の領域４０ａ’において、一のサムネイル画像（閲覧必要に分類された一のサムネイル画像、未分類の一のサムネイル画像、若しくは、閲覧不要に分類された一のサムネイル画像）がユーザによって指定（タッチ）されたときは、指定された当該サムネイル画像に対応する閲覧用画像を広告配信装置１に要求する。即ち、端末装置４の操作受付部４５は、分類されたサムネイル画像若しくは未だ分類されていないサムネイル画像のなかから、所望のサムネイル画像の指定操作を受け付ける。端末装置４の分類結果表示制御部４４３は、操作受付部４５によって受け付けたサムネイル画像に対応する閲覧用画像を広告配信装置１に要求する。
広告配信装置１の配信部１６は、端末装置４からの要求に応じて、サムネイル画像に対応した閲覧用画像を記憶部１１から読み出して端末装置４に送信する。端末装置４の送受信部４２は、広告配信装置１から送信された閲覧用画像を受信し、分類結果表示制御部４４３は、分類結果参照画面の領域４０ｂ’に受信した閲覧用画像を表示する。
【０１２５】
なお、端末装置４の分類結果表示制御部４４３は、分類結果参照画面を表示したときに、初期表示として、領域４０ａ’の最上部に表示されたサムネイル画像（図１８乃至図２１の例においてサムネイル画像Ａ）に対応する閲覧用画像を、ユーザからの指定によらずに自動的に、広告配信装置１に要求してもよい。
【０１２６】
なお、広告配信装置１は、閲覧用画像に有効期限を設定し、端末装置４から閲覧用画像を要求された場合に、有効期限をチェックしてもよい。即ち、広告配信装置１の配信部１６は、有効期限内の閲覧用画像については端末装置４に送信し、有効期限を過ぎた閲覧用画像については端末装置４に送信しないようにしてもよい。
【０１２７】
また、端末装置４の分類結果表示制御部４４３は、サムネイル画像がタッチされる都度、広告配信装置１に閲覧用画像を要求するのではなく、広告配信装置１から受信した閲覧用画像を一時記憶しておき、一時記憶している閲覧用画像を表示してもよい。なお、端末装置４の分類結果表示制御部４４３は、閲覧用画像に有効期限が設定されている場合であって端末装置４側において有効期限を保持する場合（例えば、サムネイル画像又は閲覧用画像とともに有効期限情報を広告配信装置１から取得している場合）には、一時記憶している閲覧用画像を表示する際に、有効期限をチェックし、有効期限であれば表示し、そうでなければ表示しないようにしてもよい。また、端末装置４の分類結果表示制御部４４３は、閲覧用画像に有効期限が設定されている場合であって端末装置４側において有効期限を保持しない場合には、一時記憶している閲覧用画像を表示する際に、広告配信装置１に有効期限を問い合わせ、有効期限をチェックしてもよい。
【０１２８】
また、上記実施例においては、端末装置４は、スマートフォンである場合について説明したが、端末装置４がパーソナルコンピュータ、スマートフォンの普及よりも前に普及した携帯電話であり、タッチセンサ画面を有しない場合には、操作受付部４５は、マウス、操作キーなどによって、各種の操作を受け付けるようにしてもよい。
【０１２９】
図２４〜図２７は、端末装置４がパーソナルコンピュータである場合の表示画面４０における表示例を示す。以下では、操作受付部４５がマウスである場合を例に説明する。
図２４（ｉ）において、表示画面４０上のチラシ画像の移動範囲は、領域５０ａ、領域５０ｂ及び領域５０ｃを含む範囲である。この移動範囲の上部の辺に沿った端部の領域５０ａが、第１領域であり、下部の辺に沿った端部の領域５０ｃが第２領域である。また、領域５０ｂは、未分類のチラシ画像を表示する分類作業領域である。なお、領域５０ａ、領域５０ｃを領域５０ｂと異なる色にて表示し、第１領域または第２領域であることを明示的に表示してもよい。さらに、第１領域には、チェックしたチラシを見るためのボタンＪ５を表示する。
以下、領域５０ａを第１領域５０ａ、領域５０ｂを分類作業領域５０ｂ、領域５０ｃを第２領域５０ｃとも記載する。
【０１３０】
端末装置４の送受信部４２が、図４に示す配信データを広告配信装置１から受信した後、配信広告表示制御部４４１は、図１０のステップＳ２１０において、図２４（ｉ）に示すように、チェック画面の分類作業領域５０ｂに未分類の画像Ａ、画像Ｂ、画像Ｃ、画像Ｄをランダムに配置して表示する（ステップＳ２１０）。このとき、ユーザが操作受付部４５により画像Ａをクリックした場合（ステップＳ２１５：ＹＥＳ）、配信広告表示制御部４４１は、図２４（ｉｉ）に示すように、画像Ａの天地を調整して一番手前に表示させ、さらに店舗名表示領域５０ｄを表示する（ステップＳ２２０）。画像Ａには複数の広告実施店舗が対応しているため（ステップＳ２２５：ＹＥＳ）、配信広告表示制御部４４１は、画像Ａの選択店舗情報が示す表示優先度「１」（初期値）の広告実施店舗情報から読み出した店舗名「○○スーパー／ａ１店」と、他店舗表示ボタンＪ６を店舗名表示領域５０ｄに表示する（ステップＳ２３０）。
【０１３１】
ユーザが操作受付部４５により他店舗表示ボタンＪ６をクリックした場合（ステップＳ２３５：ＹＥＳ）、広告実施店舗一覧表示制御部４４２は、図２５（ｉ）に示すように、画像Ａに対応した各広告実施店舗情報に設定されている店舗名の一覧を表示優先度の順に表示画面４０に表示する（ステップＳ２４０）。さらに、分類結果表示制御部４４３は、選択店舗の店舗名の横に、選択店舗である旨を示す記号を表示する。
【０１３２】
ユーザが操作受付部４５により表示画面４０上に一覧表示されている他の広告実施店舗の店舗名「○○スーパー／ａ３店」をクリックした場合（ステップＳ２４５：ＹＥＳ）、選択店舗更新部４６は、画像Ａに対応して記憶部４３に記憶されている選択店舗情報を、店舗名「○○スーパー／ａ３店」の店舗の表示優先度「３」に書き換える。配信広告表示制御部４４１は、図２５（ｉｉ）に示すように、店舗名表示領域５０ｄの店舗名を除いて、他店舗表示ボタンＪ６が選択されたときと同様の画面（図２４（ｉｉ））を表示画面４０に表示する。配信広告表示制御部４４１は、選択された広告実施店舗の店舗名「○○スーパー／ａ３店」を店舗名表示領域５０ｄに表示する（ステップＳ２５０）。
【０１３３】
図２６（ｉ）に示すように、ユーザが操作受付部４５により画像Ａを第１領域５０ａへのドラッグした場合（ステップＳ３０５：ＹＥＳ）、分類部４７は、未分類として記憶されていた画像Ａを、閲覧必要として記憶するように記憶部４３を制御する（ステップＳ３１０）。配信広告表示制御部４４１は、図２６（ｉｉ）に示すように、分類作業領域５０ｂから画像Ａを消去するとともに（ステップＳ３１５）、第１領域５０ａに画像Ａを識別する情報（アイコンＩａ’）を表示するように制御する（ステップＳ３２０）。
【０１３４】
なお、図２４〜図２６において、配信広告表示制御部４４１は、配信データで受信したチラシ画像のうち何枚が未分類であるかのメッセージをさらに表示画面４０に表示させてもよい。
【０１３５】
続いて、ユーザが操作受付部４５により画像Ｂ、Ｄを第２領域５０ｃへドラッグして閲覧不要に分類し、画像Ｃを第１領域にドラッグして閲覧必要に分類した後、チェックしたチラシをみるためのボタンＪ５をクリックすると、分類結果表示制御部４４３は、図２７（ｉ）の如く、分類結果を表示画面４０に表示する。
領域５２は閲覧必要に分類されたチラシ画像（閲覧必要として記憶されたチラシ画像）を識別する情報を表示する領域である。領域５３は、チラシ画像の１つを表示する領域であり、領域５４は、領域５３に表示されているチラシ画像の店舗名を表示する領域である。
【０１３６】
図２７（ｉ）において、分類結果表示制御部４４３は、閲覧必要に分類されたチラシ画像（閲覧必要として記憶されたチラシ画像）である画像Ａ及び画像Ｃを識別する情報として、アイコンＩａ’及びアイコンＩｃ’を領域５２に表示する。分類結果表示制御部４４３は、領域５２にアイコンを表示した各チラシ画像（画像Ａ及び画像Ｃ）に対応する選択店舗情報を読み出し、読み出した選択店舗情報が示す表示優先度の店舗名を、チラシ画像に対応した広告実施店舗情報から読み出す。分類結果表示制御部４４３は、領域５２に、チラシ画像を識別する情報に対応付けて、当該チラシ画像について読み出した店舗名を表示する。同図においては、アイコンＩａ’、Ｉｃ’の下に店舗名を表示している。
【０１３７】
さらに、分類結果表示制御部４４３は、閲覧必要に分類されたチラシ画像の１つを領域５３に初期表示させる（拡大表示してもよい）。同図では、アイコンＩａに対応する画像Ａが初期表示されている。分類結果表示制御部４４３は、領域５３に表示されている画像Ａについて読み出した店舗名を、店舗情報表示ボタンＪ７とともに領域５４に表示する。
なお、ユーザが操作受付部４５によりアイコンＩｃ’をクリックした場合、分類結果表示制御部４４３は、初期表示した画像Ａに代えて、選択されたアイコンＩｃ’に対応する画像Ｃを記憶部４３から読み出して領域５３に表示する。さらに分類結果表示制御部４４３は、画像Ｃについて読み出した選択店舗の店舗名を、店舗情報表示ボタンＪ７とともに領域５４に表示する。
【０１３８】
図２７（ｉ）に示すように、領域５３に画像Ａが表示されているときに、ユーザが操作受付部４５により店舗情報表示ボタンＪ７をクリックした場合、店舗情報表示制御部４４４は、領域５３に表示されていた画像Ａに対応して記憶部４３に記憶されている選択店舗情報を読み出す。店舗情報表示制御部４４４は、読み出した選択店舗情報が示す表示優先度「３」に対応した表示店舗情報を、画像Ａの広告実施店舗情報から読み出し、図２７（ｉｉ）に示すように表示する。また、店舗情報表示制御部４４４は、地図上に店舗の位置を示した画像データを広告配信装置１から取得し、表示してもよい。
【０１３９】
なお、図２７（ｉ）においては、閲覧必要に分類されたチラシ画像を識別する情報のみを領域５２に表示しているが、領域５２を分割し、分割した領域に、閲覧必要に分類されたチラシ画像を識別する情報、未分類のチラシ画像を識別する情報、閲覧不要に分類されたチラシ画像を識別する情報を表示させるようにしてもよい。
【０１４０】
なお、上記実施形態では、広告配信装置１において表示優先度を決定しているが、端末装置４に表示優先度決定部（不図示）を設け、表示優先度決定部（不図示）が表示優先度を決定してもよい。この場合、広告配信装置１の配信部１６は、表示優先度に代えて、配信データに店舗位置情報を設定する。端末装置４の表示優先度決定部（不図示）は、配信データに設定されている店舗位置情報とユーザ位置情報とに基づいて各広告配信店舗の所在地とユーザ位置との距離を算出し、算出した距離が近い順に広告配信店舗の表示優先度を決定する。
【０１４１】
なお、上記実施形態では、広告配信データに含まれる各チラシ画像に対応して記憶部４３に記憶される選択店舗情報は、当該チラシ画像に対応した広告実施店舗情報に設定されている表示優先度により選択店舗を示しているが、店舗を特定できる情報であれば他の情報を用いてもよい。例えば、選択店舗情報に、広告実施店舗情報から取得した選択店舗の店舗名を設定してもよい。この場合、端末装置４の配信広告表示制御部４４１、分類結果表示制御部４４３は、選択店舗情報から選択店舗の店舗名を取得することができる。また、広告配信装置１の配信部１６が、広告実施店舗情報に広告配信店舗の店舗ＩＤをさらに設定した配信データを生成する場合、選択店舗情報に広告実施店舗情報から取得した選択店舗の店舗ＩＤを設定してもよい。
【０１４２】
また、広告配信装置１及び端末装置４の機能を実現するためのプログラムをコンピュータ読み取り可能な記録媒体に記録して、この記録媒体に記録されたプログラムをコンピュータシステムに読み込ませ、実行することにより、上記処理を行ってもよい。なお、ここでいう「コンピュータシステム」とは、ＯＳや周辺機器等のハードウェアを含むものとする。
【０１４３】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを配信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【０１４４】
以上、この発明の実施形態について図面を参照して詳述してきたが、具体的な構成はこの実施形態に限られるものではなく、この発明の要旨を逸脱しない範囲の設計等も含まれる。
【符号の説明】
【０１４５】
１…広告配信装置
１１…記憶部
１２…送受信部
１３…要求受信部
１４…検索部
１５…重複検出部
１６…配信部
４…端末装置
４０…表示部（表示画面）
４１…配信要求部
４２…送受信部
４３…記憶部
４４…表示制御部
４４１…配信広告表示制御部
４４２…広告実施店舗一覧表示制御部
４４３…分類結果表示制御部
４４４…店舗情報表示制御部
４５…操作受付部
４６…選択店舗更新部
４７…分類部
４８…計時部
９…ネットワーク
【図１】
2014130482.tif 000003
【図２】
2014130482.tif 000004
【図３】
2014130482.tif 000005
【図４】
2014130482.tif 000006
【図５】
2014130482.tif 000007
【図６】
2014130482.tif 000008
【図７】
2014130482.tif 000009
【図８】
2014130482.tif 000010
【図９】
2014130482.tif 000011
【図１０】
2014130482.tif 000012
【図１１】
2014130482.tif 000013
【図１２】
2014130482.tif 000014
【図１３】
2014130482.tif 000015
【図１４】
2014130482.tif 000016
【図１５】
2014130482.tif 000017
【図１６】
2014130482.tif 000018
【図１７】
2014130482.tif 000019
【図１８】
2014130482.tif 000020
【図１９】
2014130482.tif 000021
【図２０】
2014130482.tif 000022
【図２１】
2014130482.tif 000023
【図２２】
2014130482.tif 000024
【図２３】
2014130482.tif 000025
【図２４】
2014130482.tif 000026
【図２５】
2014130482.tif 000027
【図２６】
2014130482.tif 000028
【図２７】
2014130482.tif 000029